(57)【要約】  ワイヤレス通信のための方法、システム、およびデバイスについて説明する。ユーザ機器（ＵＥ）は、コンポーネントキャリア（ＣＣ）のセット上での送信のためのハイブリッド自動再送要求（ＨＡＲＱ）フィードバックを報告するためのペイロードのサイズを検出し得、スケジューリング要求（ＳＲ）および／または周期的チャネル状態情報（Ｐ−ＣＳＩ）報告が存在するのかどうかを決定し得る。ＵＥは、アップリンク制御フォーマットを選択するためにＨＡＲＱペイロードサイズとＳＲまたはＰ−ＣＳＩ報告のためのペイロードとを含み得るアップリンク制御メッセージのサイズとしきい値とを比較し得る。アップリンク制御メッセージがしきい値を上回るペイロードサイズを有する場合、選択されたアップリンク制御フォーマットは、多数のＣＣに関連し得る。ＵＥはまた、キャリアアグリゲーション（ＣＡ）構成のＣＣのためのサブフレーム中に２つ以上のＰ−ＣＳＩ報告を送信するための構成を使用し得る。所与のサブフレーム中に送信予定のＰ−ＣＳＩ報告。
2018526852.tif 000002
【特許請求の範囲】
【請求項１】
ワイヤレス通信の方法であって、
サブフレーム中で、複数のコンポーネントキャリア（ＣＣ）上での送信に関連するハイブリッド自動再送要求（ＨＡＲＱ）フィードバックを報告するためのＨＡＲＱペイロードのサイズを検出することと、
スケジューリング要求（ＳＲ）、周期的チャネル状態情報（Ｐ−ＣＳＩ）報告、またはそれらの組合せのうちの少なくとも１つが前記サブフレーム中に含まれるべきであると決定することと、
アップリンク制御メッセージのサイズとしきい値との比較に少なくとも部分的に基づいて物理アップリンク制御チャネル（ＰＵＣＣＨ）フォーマットのセットからＰＵＣＣＨフォーマットを選択することと、ここにおいて、前記アップリンク制御メッセージが、前記ＨＡＲＱペイロードと前記ＳＲまたは前記Ｐ−ＣＳＩ報告のうちの少なくとも１つのためのペイロードとを備える、
前記選択されたＰＵＣＣＨフォーマットを使用して前記サブフレーム中で前記アップリンク制御メッセージを送信することと
を備える、方法。
【請求項２】
ＰＵＣＣＨフォーマットの前記セットが、１つのＣＣのためのＨＡＲＱフィードバックを報告することに関連するＰＵＣＣＨフォーマットの第１のセット、最大５つのＣＣのためのＨＡＲＱフィードバックを報告することに関連するＰＵＣＣＨフォーマットの第２のセット、または６つ以上のＣＣのためのＨＡＲＱフィードバックを報告することに関連するＰＵＣＣＨフォーマットの第３のセットを備える、請求項１に記載の方法。
【請求項３】
前記アップリンク制御メッセージの前記サイズが前記しきい値よりも大きいとき、前記ＰＵＣＣＨフォーマットを選択することが、ＰＵＣＣＨフォーマットの前記セットからの少なくとも１つの他のＰＵＣＣＨフォーマットよりも大きい容量を有するＰＵＣＣＨフォーマットを選択することを備える、請求項１に記載の方法。
【請求項４】
前記しきい値が、２２ビットのサイズを有する、請求項３に記載の方法。
【請求項５】
前記ＵＥのために構成された２つ以上のＣＣのためのＰ−ＣＳＩ報告で前記ＨＡＲＱペイロードを多重化すること、ここにおいて、ＳＲまたはＰ−ＣＳＩ報告のうちの少なくとも１つが、前記サブフレーム中に含まれるべきであると決定することが、前記ＵＥのために構成された前記２つ以上のＣＣのための前記Ｐ−ＣＳＩ報告を識別することを備える、
をさらに備える、請求項１に記載の方法。
【請求項６】
前記ＳＲが存在すると決定され、前記アップリンク制御メッセージが、前記ＨＡＲＱペイロードと前記ＳＲのためのペイロードとを備える、請求項１に記載の方法。
【請求項７】
前記ＳＲおよび前記Ｐ−ＣＳＩ報告が存在すると決定され、前記アップリンク制御メッセージが、前記ＨＡＲＱペイロードと、前記ＳＲのためのペイロードと、前記Ｐ−ＣＳＩ報告のためのペイロードとを備える、請求項１に記載の方法。
【請求項８】
前記Ｐ−ＣＳＩ報告が、前記ＵＥのために構成されたＣＣのための複数のＰ−ＣＳＩプロセスからの少なくとも１つのＰ−ＣＳＩプロセスからの報告、前記ＵＥのために構成されたＣＣのための複数のＰ−ＣＳＩサブフレームセットからの少なくとも１つのＰ−ＣＳＩサブフレームセットのためのＰ−ＣＳＩプロセスからの報告、またはそれらの組合せを備える、請求項１に記載の方法。
【請求項９】
前記ＳＲまたは前記Ｐ−ＣＳＩ報告のうちの少なくとも１つが前記サブフレーム中に含まれるべきであると決定することが、
Ｐ−ＣＳＩ報告のセットからのＰ−ＣＳＩ報告のサブセットを報告することを決定すること
を備える、請求項１に記載の方法。
【請求項１０】
Ｐ−ＣＳＩ報告のセットからのＰ−ＣＳＩ報告のサブセットを報告することを決定することが、
Ｐ−ＣＳＩ報告タイプ、前記ＵＥのために構成されたＣＣ内でまたは前記ＵＥのために構成されたＣＣにわたって実行される優先度付け、あるいはそれらの組合せに基づいてＰ−ＣＳＩ報告に優先度を付けること
を備える、請求項９に記載の方法。
【請求項１１】
Ｐ−ＣＳＩ報告のセットからのＰ−ＣＳＩ報告のサブセットを報告することを決定することが、
Ｐ−ＣＳＩ報告タイプに基づいて優先度を付け、その後、ＣＳＩプロセス識別情報に基づいて優先度を付け、その後、ＣＣインデックスに基づいて優先度を付け、その後、サブフレームセットインデックスに基づいて優先度を付けること
を備える、請求項９に記載の方法。
【請求項１２】
ネットワークノードから前記ＨＡＲＱペイロードの前記サイズを示すシグナリングを受信すること
をさらに備える、請求項１に記載の方法。
【請求項１３】
前記ＰＵＣＣＨフォーマットの前記選択中に前記ＳＲまたは前記Ｐ−ＣＳＩ報告のうちの前記少なくとも１つの存在を検討すべきかどうかを示すシグナリングを受信すること
をさらに備える、請求項１に記載の方法。
【請求項１４】
ＰＵＣＣＨフォーマットの前記セットが、１つのＣＣのためのＰ−ＣＳＩ報告に関連する第１のＰＵＣＣＨフォーマットと２つ以上のＣＣのためのＰ−ＣＳＩ報告に関連する第２のＰＵＣＣＨとを備える、請求項１に記載の方法。
【請求項１５】
前記アップリンク制御メッセージが、複数のセルグループのうちのセルグループに関連付けられる、請求項１に記載の方法。
【請求項１６】
ワイヤレス通信の方法であって、
同じ送信時間間隔（ＴＴＩ）中の複数の周期的チャネル状態情報（Ｐ−ＣＳＩ）報告の送信をサポートする構成を受信することと、ここにおいて、前記Ｐ−ＣＳＩ報告が、チャネル状態情報（ＣＳＩ）プロセスの複数のサブフレームセットのためのＰ−ＣＳＩ報告のうちの２つ以上、コンポーネントキャリア（ＣＣ）の複数のＣＳＩプロセスのためのＰ−ＣＳＩ報告、またはキャリアアグリゲーション（ＣＡ）構成の複数のＣＣのためのＰ−ＣＳＩ報告に関連付けられる、
２つ以上のＰ−ＣＳＩ報告が前記ＴＴＩ中に送信予定であると決定することと、
優先度付けルールに従って前記ＴＴＩ中に前記Ｐ−ＣＳＩ報告のうちの少なくとも１つを送信することと
を備える、方法。
【請求項１７】
前記優先度付けルールが、物理アップリンク制御チャネル（ＰＵＣＣＨ）フォーマットのペイロード容量または前記２つ以上のＰ−ＣＳＩ報告のペイロードサイズに少なくとも部分的に基づく、請求項１６に記載の方法。
【請求項１８】
前記複数のＰ−ＣＳＩ報告の送信をサポートする前記構成が、多地点協調（ＣｏＭＰ）構成、１つまたは複数のＰＵＣＣＨグループを用いるＣＡ構成、デュアル接続性構成、または干渉緩和およびトラフィック適応（ＩＭＴＡ）構成のうちの少なくとも１つを備える、請求項１６に記載の方法。
【請求項１９】
前記優先度付けルールが、ＣＳＩタイプ、その後、ＣＳＩプロセス識別情報（ＩＤ）、その後、ＣＣインデックス、その後、サブフレームセットインデックスによる優先度付けを備える、請求項１６に記載の方法。
【請求項２０】
前記ＣＡ構成が、６つ以上のＣＣの構成を備える、請求項１６に記載の方法。
【請求項２１】
サブフレーム中で、複数のコンポーネントキャリア（ＣＣ）上での送信に関連するハイブリッド自動再送要求（ＨＡＲＱ）フィードバックを報告するためのＨＡＲＱペイロードのサイズを検出するための手段と、
スケジューリング要求（ＳＲ）、周期的チャネル状態情報（Ｐ−ＣＳＩ）報告、またはそれらの組合せのうちの少なくとも１つが前記サブフレーム中に含まれるべきであると決定するための手段と、
アップリンク制御メッセージのサイズとしきい値との比較に少なくとも部分的に基づいて物理アップリンク制御チャネル（ＰＵＣＣＨ）フォーマットのセットからＰＵＣＣＨフォーマットを選択するための手段と、ここにおいて、前記アップリンク制御メッセージが、前記ＨＡＲＱペイロードと前記ＳＲまたは前記Ｐ−ＣＳＩ報告のうちの少なくとも１つのためのペイロードとを備える、
前記選択されたＰＵＣＣＨフォーマットを使用して前記サブフレーム中で前記アップリンク制御メッセージを送信するための手段と
を備える、モバイルデバイス。
【請求項２２】
前記ＰＵＣＣＨフォーマットを選択するための前記手段は、前記アップリンク制御メッセージの前記サイズが前記しきい値よりも大きいとき、ＰＵＣＣＨフォーマットの前記セットからの少なくとも１つの他のＰＵＣＣＨフォーマットよりも大きい容量を有するＰＵＣＣＨフォーマットを選択するように動作可能である、請求項２１に記載のモバイルデバイス。
【請求項２３】
前記ＵＥのために構成された２つ以上のＣＣのためのＰ−ＣＳＩ報告で前記ＨＡＲＱペイロードを多重化するための手段、ここにおいて、ＳＲまたはＰ−ＣＳＩ報告のうちの少なくとも１つが、前記サブフレーム中に含まれるべきであると決定するための前記手段が、前記ＵＥのために構成された前記２つ以上のＣＣのための前記Ｐ−ＣＳＩ報告を識別するように動作可能である、
をさらに備える、請求項２１に記載のモバイルデバイス。
【請求項２４】
ネットワークノードから前記ＨＡＲＱペイロードの前記サイズを示すシグナリングを受信するための手段
をさらに備える、請求項２１に記載のモバイルデバイス。
【請求項２５】
前記ＰＵＣＣＨフォーマットの前記選択中に前記ＳＲまたは前記Ｐ−ＣＳＩ報告のうちの前記少なくとも１つの存在を検討すべきかどうかを示すシグナリングを受信するための手段
をさらに備える、請求項２１に記載のモバイルデバイス。
【請求項２６】
前記アップリンク制御メッセージが、複数のセルグループのうちのセルグループに関連付けられる、請求項２１に記載のモバイルデバイス。
【請求項２７】
ワイヤレス通信のためのモバイルデバイスであって、
同じ送信時間間隔（ＴＴＩ）中の複数の周期的チャネル状態情報（Ｐ−ＣＳＩ）報告の送信をサポートする構成を受信するための手段と、ここにおいて、前記Ｐ−ＣＳＩ報告が、チャネル状態情報（ＣＳＩ）プロセスの複数のサブフレームセットのためのＰ−ＣＳＩ報告のうちの２つ以上、コンポーネントキャリア（ＣＣ）の複数のＣＳＩプロセスのためのＰ−ＣＳＩ報告、またはキャリアアグリゲーション（ＣＡ）構成の複数のＣＣのためのＰ−ＣＳＩ報告に関連付けられる、
２つ以上のＰ−ＣＳＩ報告が前記ＴＴＩ中に送信予定であると決定するための手段と、
優先度付けルールに従って前記ＴＴＩ中に前記Ｐ−ＣＳＩ報告のうちの少なくとも１つを送信するための手段と
を備える、モバイルデバイス。
【請求項２８】
前記優先度付けルールが、物理アップリンク制御チャネル（ＰＵＣＣＨ）フォーマットのペイロード容量または前記２つ以上のＰ−ＣＳＩ報告のペイロードサイズに少なくとも部分的に基づいて実行される、請求項２７に記載のモバイルデバイス。
【請求項２９】
前記複数のＰ−ＣＳＩ報告の送信をサポートする前記構成が、多地点協調（ＣｏＭＰ）構成、１つまたは複数のＰＵＣＣＨグループを用いるＣＡ構成、デュアル接続性構成、または干渉緩和およびトラフィック適応（ＩＭＴＡ）構成のうちの少なくとも１つを備える、請求項２７に記載のモバイルデバイス。
【請求項３０】
前記優先度付けルールが、ＣＳＩタイプ、その後、ＣＳＩプロセス識別情報（ＩＤ）、その後、ＣＣインデックス、その後、サブフレームセットインデックスに優先度を付けることを備える、請求項２７に記載のモバイルデバイス。
【発明の詳細な説明】
【技術分野】
【０００１】
相互参照
[0001]本特許出願は、各々が本出願の譲受人に譲渡された、２０１５年６月３０日に出願された「Ｐｅｒｉｏｄｉｃ  Ｃｈａｎｎｅｌ  Ｓｔａｔｅ  Ｉｎｆｏｒｍａｔｉｏｎ  Ｒｅｐｏｒｔｉｎｇ  ｆｏｒ  Ｅｎｈａｎｃｅｄ  Ｃａｒｒｉｅｒ  Ａｇｇｒｅｇａｔｉｏｎ」と題する、Ｃｈｅｎらによる米国仮特許出願番号第６２／１８７，０３４号、および２０１６年６月２３日に出願された「Ｐｅｒｉｏｄｉｃ  Ｃｈａｎｎｅｌ  Ｓｔａｔｅ  Ｉｎｆｏｒｍａｔｉｏｎ  Ｒｅｐｏｒｔｉｎｇ  ｆｏｒ  Ｅｎｈａｎｃｅｄ  Ｃａｒｒｉｅｒ  Ａｇｇｒｅｇａｔｉｏｎ」と題する、Ｃｈｅｎらによる米国特許出願番号第１５／１９１，０８９号の優先権を主張する。
【０００２】
[0002]以下は、一般に、ワイヤレス通信に関し、より詳細には、拡張キャリアアグリゲーション（ｅＣＡ）のための周期的チャネル状態情報（Ｐ−ＣＳＩ：periodic channel state information）報告に関する。
【背景技術】
【０００３】
[0003]ワイヤレス通信システムは、音声、ビデオ、パケットデータ、メッセージング、ブロードキャストなどの様々なタイプの通信コンテンツを提供するために広く展開されている。これらのシステムは、利用可能なシステムリソース（たとえば、時間、周波数、および電力）を共有することによって複数のユーザとの通信をサポートすることが可能であり得る。そのような多元接続システムの例としては、符号分割多元接続（ＣＤＭＡ）システム、時分割多元接続（ＴＤＭＡ）システム、周波数分割多元接続（ＦＤＭＡ）システム、および直交周波数分割多元接続（ＯＦＤＭＡ）システム、（たとえば、ロングタームエボリューション（ＬＴＥ（登録商標））システム）がある。ワイヤレス多元接続通信システムは、場合によってはユーザ機器（ＵＥ）として知られていることがある、複数の通信デバイスのための通信を各々が同時にサポートする、いくつかの基地局を含み得る。
【０００４】
[0004]ＵＥは、チャネル状態の（on）フィードバックを与えるために基地局にＰ−ＣＳＩ報告を送り得る。スケジュールされたＰ−ＣＳＩ報告の数は、通信のためにＵＥおよび基地局が使用する（base station use）異なるコンポーネントキャリア（ＣＣ）の数に比例して増加し得る。ＵＥおよび基地局が（たとえば、拡張または発展型ＣＡ（ｅＣＡ）構成中で）多数のＣＣを使用して通信している場合、アップリンク送信のために大量の情報がキューイングされ（queued）得る。場合によっては、アップリンク制御チャネルは、ハイブリッド自動再送要求（ＨＡＲＱ）フィードバックなどの他のアップリンク制御情報とともに、キューイングされたＰ−ＣＳＩ報告の送信のために十分なリソースを与える（provide）ことができないことがある。
【発明の概要】
【０００５】
[0005]ユーザ機器（ＵＥ）は、コンポーネントキャリア（ＣＣ）のセットのためのハイブリッド自動再送要求（ＨＡＲＱ）ペイロードのサイズを検出し得る。ＵＥはまた、スケジューリング要求（ＳＲ）または周期的チャネル状態情報（Ｐ−ＣＳＩ）報告が存在する（たとえば、ＴＴＩ中に含まれるべきである、サブフレーム中に含まれるべきである、サブフレーム中で送信されるべきである、アップリンク（ＵＬ）制御メッセージ中に含まれるべきである、サブフレーム中にＨＡＲＱフィードバックとともに含まれるべきである、サブフレーム中での送信のために利用可能であるなど）と決定し得る。組み合わされたアップリンクペイロード（たとえば、ＨＡＲＱとＳＲまたはＰ−ＣＳＩ報告との組み合わされたペイロードサイズ）がしきい値を上回る場合、ＵＥは多数のＣＣに関連し、多数のＣＣのためのフィードバックをサポートすることができる、物理アップリンク制御チャネル（ＰＵＣＣＨ）フォーマットを選択し得る。ペイロードがしきい値を下回る場合、より少ない数のＣＣのためのフォーマットが選択され得る。場合によっては、ＵＥは、キャリアアグリゲーション（ＣＡ）構成のいくつかのＣＣのためのサブフレーム中に２つ以上のＰ−ＣＳＩ報告の構成を受信し得る。ＵＥは、次いで、所与のサブフレーム中に送信予定の（due for transmission）Ｐ−ＣＳＩ報告に優先度を付け得、優先度付けに従って少なくとも１つ、場合によっては２つ以上の報告を送信し得る。
【０００６】
[0006]ワイヤレス通信の方法について説明する。本方法は、サブフレーム中で、複数のＣＣ上での送信に関連するＨＡＲＱフィードバックを報告するためのＨＡＲＱペイロードのサイズを検出することと、ＳＲ、周期的チャネル状態情報（Ｐ−ＣＳＩ）報告、またはそれらの組合せのうちの少なくとも１つがサブフレーム中に含まれるべきであると決定することと、アップリンク制御メッセージのサイズとしきい値との比較に少なくとも部分的に基づいてＰＵＣＣＨフォーマットのセットからＰＵＣＣＨフォーマットを選択することと、ここにおいて、アップリンク制御メッセージが、ＨＡＲＱペイロードとＳＲまたはＰ−ＣＳＩ報告のうちの少なくとも１つのためのペイロードとを含む、選択されたＰＵＣＣＨフォーマットを使用してサブフレーム中でアップリンク制御メッセージを送信することとを含み得る。
【０００７】
[0007]モバイルデバイス。本モバイルデバイスは、サブフレーム中で、複数のＣＣ上での送信に関連するＨＡＲＱフィードバックを報告するためのＨＡＲＱペイロードのサイズを検出するための手段と、ＳＲまたは周期的チャネル状態情報（Ｐ−ＣＳＩ）報告、またはそれらの組合せのうちの少なくとも１つがサブフレーム中に含まれるべきであると決定するための手段と、アップリンク制御メッセージのサイズとしきい値との比較に少なくとも部分的に基づいてＰＵＣＣＨフォーマットのセットからＰＵＣＣＨフォーマットを選択するための手段と、ここにおいて、アップリンク制御メッセージが、ＨＡＲＱペイロードとＳＲまたはＰ−ＣＳＩ報告のうちの少なくとも１つのためのペイロードとを含む、選択されたＰＵＣＣＨフォーマットを使用してサブフレーム中でアップリンク制御メッセージを送信するための手段とを含み得る。
【０００８】
[0008]別のモバイルデバイスについて説明する。本モバイルデバイスは、プロセッサと、プロセッサと電子通信しているメモリと、メモリ中に記憶され、プロセッサによって実行されたとき、モバイルデバイスに、サブフレーム中で、複数のＣＣ上での送信に関連するＨＡＲＱフィードバックを報告するためのＨＡＲＱペイロードのサイズを検出することと、ＳＲまたは周期的チャネル状態情報（Ｐ−ＣＳＩ）報告、またはそれらの組合せのうちの少なくとも１つがサブフレーム中に含まれるべきであると決定することと、アップリンク制御メッセージのサイズとしきい値との比較に少なくとも部分的に基づいてＰＵＣＣＨフォーマットのセットからＰＵＣＣＨフォーマットを選択することと、ここにおいて、アップリンク制御メッセージが、ＨＡＲＱペイロードとＳＲまたはＰ−ＣＳＩ報告のうちの少なくとも１つのためのペイロードとを含む、選択されたＰＵＣＣＨフォーマットを使用してサブフレーム中でアップリンク制御メッセージを送信することとを行わせるように動作可能な命令とを含み得る。
【０００９】
[0009]ワイヤレス通信のためのコードを記憶した非一時的コンピュータ可読媒体について説明する。本コードは、サブフレーム中で、複数のＣＣ上での送信に関連するＨＡＲＱフィードバックを報告するためのＨＡＲＱペイロードのサイズを検出することと、ＳＲまたは周期的チャネル状態情報（Ｐ−ＣＳＩ）報告、またはそれらの組合せのうちの少なくとも１つがサブフレーム中に含まれるべきであると決定することと、アップリンク制御メッセージのサイズとしきい値との比較に少なくとも部分的に基づいてＰＵＣＣＨフォーマットのセットからＰＵＣＣＨフォーマットを選択することと、ここにおいて、アップリンク制御メッセージが、ＨＡＲＱペイロードとＳＲまたはＰ−ＣＳＩ報告のうちの少なくとも１つのためのペイロードとを含む、選択されたＰＵＣＣＨフォーマットを使用してアップリンク制御メッセージを送信することとを行うように実行可能な命令を含み得る。
【００１０】
[0010]本明細書で説明する方法、モバイルデバイス、または非一時的コンピュータ可読媒体のいくつかの例では、ＰＵＣＣＨフォーマットのセットは、１つのＣＣのためのＰ−ＣＳＩ報告に関連する第１のＰＵＣＣＨフォーマットと２つ以上のＣＣのためのＰ−ＣＳＩ報告に関連する第２のＰＵＣＣＨとを含み得る。いくつかの例では、ＰＵＣＣＨフォーマットのセットは、１つのＣＣのためのＨＡＲＱフィードバックを報告することに関連する第１のＰＵＣＣＨフォーマットと、最大５つのＣＣのためのＨＡＲＱフィードバックを報告することに関連する第２のＰＵＣＣＨフォーマットと、６つ以上のＣＣのためのＨＡＲＱフィードバックを報告することに関連する第３のＰＵＣＣＨフォーマットとを含み得る。追加または代替として、いくつかの例としては、複数のＣＣ中のいくつかのＣＣに少なくとも部分的に基づいてＰＵＣＣＨフォーマットのセットを選択することと、ＰＵＣＣＨフォーマットの選択されたセットに少なくとも部分的に基づいてＳＲまたはＰ−ＣＳＩ報告のうちの少なくとも１つのためのペイロードのサイズがしきい値との比較のためのアップリンク制御メッセージのサイズ中に含まれるのかどうかを決定することとを行うためのステップ、特徴、手段、または命令があり得る。いくつかの例では、アップリンク制御メッセージのサイズがしきい値よりも大きいとき、本方法、モバイルデバイス、または非一時的コンピュータ可読媒体は、ＰＵＣＣＨフォーマットのセットからの少なくとも１つの他のＰＵＣＣＨフォーマットよりも大きい容量を有するＰＵＣＣＨフォーマットを選択することを行うための動作、特徴、手段、または命令を含み得る。いくつかの例では、しきい値は、２２ビットのサイズを有し得る。
【００１１】
[0011]本明細書で説明する方法、モバイルデバイス、または非一時的コンピュータ可読媒体のいくつかの例では、ＰＵＣＣＨフォーマットを選択することは、しきい値を上回るアップリンク制御メッセージサイズに少なくとも部分的に基づいて第３のＰＵＣＣＨフォーマットを選択することを行うためのステップ、特徴、手段または命令を含み得る。追加または代替として、いくつかの例としては、ＵＥのために構成された２つ以上のＣＣのためのＰ−ＣＳＩ報告でＨＡＲＱペイロードを多重化することを行うためのステップ、特徴、手段または命令を含み得、ＳＲまたはＰ−ＣＳＩ報告のうちの少なくとも１つが、サブフレーム中に含まれるべきであると決定することは、ＵＥのために構成された２つ以上のＣＣのためのＰ−ＣＳＩ報告を識別することを含み得る。
【００１２】
[0012]本明細書で説明する方法、モバイルデバイス、または非一時的コンピュータ可読媒体のいくつかの例では、ＳＲは、存在すると決定され、アップリンク制御メッセージは、ＨＡＲＱペイロードとＳＲのためのペイロードとを含み得る。追加または代替として、いくつかの例では、ＳＲおよびＰ−ＣＳＩ報告が存在すると決定され、アップリンク制御メッセージが、ＨＡＲＱペイロードと、ＳＲのためのペイロードと、Ｐ−ＣＳＩのためのペイロードとを含み得る。
【００１３】
[0013]本明細書で説明する方法、モバイルデバイス、または非一時的コンピュータ可読媒体のいくつかの例では、ＰＵＣＣＨフォーマットは、スケーリングされたＰ−ＣＳＩ報告ペイロードサイズに少なくとも部分的に基づいて選択される。いくつかの例では、Ｐ−ＣＳＩ報告は、ＵＥのために構成されたＣＣのための複数のＰ−ＣＳＩプロセスからの少なくとも１つのＰ−ＣＳＩプロセスからの報告、ＵＥのために構成されたＣＣのための複数のＰ−ＣＳＩサブフレームセットからの少なくとも１つのＰ−ＣＳＩサブフレームセットのためのＰ−ＣＳＩプロセスからの報告、またはそれらの組合せを含み得る。追加または代替として、いくつかの例では、ＳＲまたはＰ−ＣＳＩ報告のうちの少なくとも１つがサブフレーム中に含まれるべきであると決定することは、Ｐ−ＣＳＩ報告のセットからのＰ−ＣＳＩ報告のサブセットを報告することを決定することを行うためのステップ、特徴、手段、または命令を含み得る。いくつかの例では、Ｐ−ＣＳＩ報告タイプ報告のセットからのＰ−ＣＳＩ報告のサブセットを報告することを決定することは、Ｐ−ＣＳＩ報告タイプ、ＵＥのために構成されたＣＣ内でまたはＵＥのために構成されたＣＣにわたって実行される優先度付け、あるいはそれらの組合せに基づいてＰ−ＣＳＩ報告に優先度を付けることを行うためのステップ、特徴、手段、または命令を含み得る。いくつかの例では、Ｐ−ＣＳＩ報告のセットからＰ−ＣＳＩ報告のサブセットを報告することを決定することは、Ｐ−ＣＳＩ報告タイプに基づいて優先度を付け、その後（followed by）、ＣＳＩプロセス識別情報に基づいて優先度を付け、その後、ＣＣインデックスに基づいて優先度を付け、その後、サブフレームセットインデックスに基づいて優先度を付けることを行うためのステップ、特徴、手段または命令を含み得る。
【００１４】
[0014]本明細書で説明する方法、モバイルデバイス、または非一時的コンピュータ可読媒体のいくつかの例では、Ｐ−ＣＳＩ報告タイプのセットは、ランクインジケータ（ＲＩ）フィードバックまたは広帯域プリコーディング行列インジケータ（ＰＭＩ）フィードバックをサポートするＰ−ＣＳＩ報告タイプを含む。追加または代替として、いくつかの例としては、ネットワークノードからＨＡＲＱペイロードサイズを示すシグナリングを受信することを行うためのステップ、特徴、手段、または命令があり得る。
【００１５】
[0015]本明細書で説明する方法、モバイルデバイス、または非一時的コンピュータ可読媒体のいくつかの例としては、ＰＵＣＣＨフォーマットの選択中にＳＲまたはＰ−ＣＳＩ報告のうちの少なくとも１つの存在を検討（consider）すべきかどうかを示すシグナリングを受信することを行うためのステップ、特徴、手段、または命令がさらにあり得る。追加または代替として、いくつかの例では、シグナリングは、無線リソース制御（ＲＲＣ：radio resource control）シグナリングを含む。本方法、モバイルデバイス、または非一時的コンピュータ可読媒体のいくつかの例としては、しきい値を示すＲＲＣシグナリングを受信することを行うためのステップ、特徴、手段、または命令があり得る。
【００１６】
[0016]本明細書で説明する方法、モバイルデバイス、または非一時的コンピュータ可読媒体のいくつかの例では、アップリンク制御メッセージは、複数のセルグループのうちのセルグループに関連付けられる。
【００１７】
[0017]ワイヤレス通信の別の方法について説明する。本方法は、同じＴＴＩ中の複数の周期的チャネル状態情報（Ｐ−ＣＳＩ）報告の送信をサポートする構成を受信することと、ここにおいて、Ｐ−ＣＳＩ報告が、ＣＳＩプロセスの複数のサブフレームセットのためのＰ−ＣＳＩ報告のうちの２つ以上、ＣＣの複数のＣＳＩプロセスのためのＰ−ＣＳＩ報告、またはＣＡ構成の複数のＣＣのためのＰ−ＣＳＩ報告に関連付けられる、ＴＴＩ中に送信予定の２つ以上のＰ−ＣＳＩ報告を決定することと、優先度付けルールに従ってＴＴＩ中にＰ−ＣＳＩ報告のうちの少なくとも１つを送信することとを含み得る。
【００１８】
[0018]別のモバイルデバイスについて説明する。本モバイルデバイスは、ＴＴＩ中の複数の周期的チャネル状態情報（Ｐ−ＣＳＩ）報告の送信をサポートする構成を受信するための手段と、ここにおいて、複数のＰ−ＣＳＩ報告が、ＣＳＩプロセスの複数のサブフレームセットのためのＰ−ＣＳＩ報告のうちの２つ以上、ＣＣの複数のＣＳＩプロセスのためのＰ−ＣＳＩ報告、またはＣＡ構成の複数のＣＣのためのＰ−ＣＳＩ報告に関連付けられる、ＴＴＩ中に送信予定の２つ以上のＰ−ＣＳＩ報告を決定するための手段と、優先度付けルールに従ってＴＴＩ中にＰ−ＣＳＩ報告のうちの少なくとも１つを送信するための手段とを含み得る。
【００１９】
[0019]別のモバイルデバイスについて説明する。本モバイルデバイスは、プロセッサと、プロセッサと電子通信しているメモリと、メモリ中に記憶され、プロセッサによって実行されたとき、モバイルデバイスに、ＴＴＩ中の複数の周期的チャネル状態情報（Ｐ−ＣＳＩ）報告の送信をサポートする構成を受信することと、ここにおいて、複数のＰ−ＣＳＩ報告が、ＣＳＩプロセスの複数のサブフレームセットのためのＰ−ＣＳＩ報告のうちの２つ以上、ＣＣの複数のＣＳＩプロセスのためのＰ−ＣＳＩ報告、またはＣＡ構成の複数のＣＣのためのＰ−ＣＳＩ報告に関連付けられる、ＴＴＩ中に送信予定の２つ以上のＰ−ＣＳＩ報告を決定することと、優先度付けルールに従ってＴＴＩ中にＰ−ＣＳＩ報告のうちの少なくとも１つを送信することとを行わせるように動作可能な命令とを含み得る。
【００２０】
[0020]ワイヤレス通信のためのコードを記憶する別の非一時的コンピュータ可読媒体について説明する。本コードは、ＴＴＩ中の複数の周期的チャネル状態情報（Ｐ−ＣＳＩ）報告の送信をサポートする構成を受信することと、ここにおいて、複数のＰ−ＣＳＩ報告が、ＣＳＩプロセスの複数のサブフレームセットのためのＰ−ＣＳＩ報告のうちの２つ以上、ＣＣの複数のＣＳＩプロセスのためのＰ−ＣＳＩ報告、またはＣＡ構成の複数のＣＣのためのＰ−ＣＳＩ報告に関連付けられる、ＴＴＩ中に送信予定の２つ以上のＰ−ＣＳＩ報告を決定することと、優先度付けルールに従ってＴＴＩ中にＰ−ＣＳＩ報告のうちの少なくとも１つを送信することとを行うように実行可能な命令を含み得る。
【００２１】
[0021]本明細書で説明する方法、モバイルデバイス、または非一時的コンピュータ可読媒体のいくつかの例では、優先度付けルールは、ペイロード容量または２つ以上のＰ−ＣＳＩ報告のペイロードサイズに少なくとも部分的に基づいて実行される。追加または代替として、いくつかの例では、ペイロード容量は、ＰＵＣＣＨフォーマットに少なくとも部分的に基づく。
【００２２】
[0022]本明細書で説明する方法、モバイルデバイス、または非一時的コンピュータ可読媒体のいくつかの例では、複数のＰ−ＣＳＩ報告の送信をサポートする構成は、多地点協調（ＣｏＭＰ）構成、１つまたは複数のＰＵＣＣＨグループを用いる（with）ＣＡ構成、デュアル接続性構成、または干渉緩和およびトラフィック適応（ＩＭＴＡ：interference mitigation and traffic adaptation）構成のうちの少なくとも１つを含む。追加または代替として、いくつかの例では、優先度付けルールは、ＣＳＩタイプ、その後、ＣＳＩプロセス識別情報（ＩＤ）、その後、ＣＣインデックス、その後、サブフレームセットインデックスに優先度を付けることを含む。
【００２３】
[0023]本明細書で説明する方法、モバイルデバイス、または非一時的コンピュータ可読媒体のいくつかの例では、ＣＡ構成は、６つ以上のＣＣの構成を含む。
【００２４】
[0024]以下の図を参照しながら本開示の態様について説明する。
【図面の簡単な説明】
【００２５】
【図１】[0025]本開示の様々な態様による、拡張キャリアアグリゲーション（ｅＣＡ）のための周期的チャネル状態情報（Ｐ−ＣＳＩ）報告をサポートする例示的なワイヤレス通信システムを示す図。
【図２】[0026]本開示の様々な態様による、ｅＣＡのためのＰ−ＣＳＩ報告の態様をサポートする例示的なワイヤレス通信システムを示す図。
【図３】[0027]本開示の様々な態様による、ｅＣＡのためのＰ−ＣＳＩ報告の態様をサポートする例示的なマルチＣＳＩフィードバックプロセスを示す図。
【図４】[0028]本開示の様々な態様による、ｅＣＡのためのＰ−ＣＳＩ報告の態様をサポートする例示的なプロセスフローを示す図。
【図５】[0029]本開示の様々な態様による、ｅＣＡのためのＰ−ＣＳＩ報告の態様をサポートするワイヤレスデバイスのブロック図。
【図６】本開示の様々な態様による、ｅＣＡのためのＰ−ＣＳＩ報告の態様をサポートするワイヤレスデバイスのブロック図。
【図７】本開示の様々な態様による、ｅＣＡのためのＰ−ＣＳＩ報告の態様をサポートするワイヤレスデバイスのブロック図。
【図８】[0030]本開示の様々な態様による、ｅＣＡのためのＰ−ＣＳＩ報告の態様をサポートする、ユーザ機器（ＵＥ）を含むシステムのブロック図。
【図９】[0031]本開示の様々な態様による、ｅＣＡのためのＰ−ＣＳＩ報告のための方法を示す図。
【図１０】本開示の様々な態様による、ｅＣＡのためのＰ−ＣＳＩ報告のための方法を示す図。
【図１１】本開示の様々な態様による、ｅＣＡのためのＰ−ＣＳＩ報告のための方法を示す図。
【図１２】本開示の様々な態様による、ｅＣＡのためのＰ−ＣＳＩ報告のための方法を示す図。
【図１３】本開示の様々な態様による、ｅＣＡのためのＰ−ＣＳＩ報告のための方法を示す図。
【発明を実施するための形態】
【００２６】
[0032]いくつかのワイヤレスシステムでは、ユーザ機器（ＵＥ）は、キャリアアグリゲーション（ＣＡ）動作のための番号コンポーネントキャリア（number component carriers）（ＣＣ）で構成され得る。ＵＥは、周期的ＣＳＩ（Ｐ−ＣＳＩ）報告を用いて各ＣＣのためのチャネル状態を報告するように構成され得る。アップリンク制御情報送信のサイズは、ＣＡ構成中のＣＣの数が増加するにつれて増加し得る。したがって、ＣＣの数に応じて異なる物理アップリンク制御チャネル（ＰＵＣＣＨ）フォーマットが使用され得る。本明細書で開示するように、ＵＥは、Ｐ−ＣＳＩ報告に置かれる（placed on）相対的重要度（relative importance）に基づいてアップリンク制御メッセージのための特定のＰＵＣＣＨフォーマットを選択し得る。ｅＣＡ構成においていくつかの（certain）動作をサポートする際など、単一のＣＣのために複数のＰ−ＣＳＩ報告をサポートするための技法についても説明する。
【００２７】
[0033]場合によっては、ＵＥが、アップリンク制御メッセージ中で（たとえば、ＴＴＩ中、サブフレーム中などで）複数のＣＣのためのＰ−ＣＳＩフィードバックを与えるように構成されるとき、ＵＥは、ＣＳＩ報告のサブセットのみが報告され得るような従属する報告制限（subject reporting limits）であり得る。たとえば、ＵＥは、ＣＣごとに単一のＰ−ＣＳＩ報告に制限され得る。したがって、同じＣＣに予定の２つ以上のＰ−ＣＳＩ報告がある場合、１つのＰ−ＣＳＩ報告が報告され得るが、すべての他の報告がドロップされる。ＵＥは、使用中のＰＵＣＣＨフォーマットの容量に基づいてＣＣにわたっておよび各ＣＣ内に優先度付けルール（たとえば、最初に、ＣＳＩタイプ、その後、ＣＳＩプロセスＩＤ、その後、ＣＣインデックス、その後、サブフレームセットＩＤ）を適用し得る。他の場合には、ＵＥは、Ｐ−ＣＳＩ報告に優先度を付けるように構成され得、他のアップリンク制御情報に加えてＰ−ＣＳＩ報告をサポートする可能性がある（たとえば、それらのための十分な通信リソース容量を有する）ＰＵＣＣＨフォーマットを選択し得る。
【００２８】
[0034]いくつかのワイヤレスシステムでは、ＵＥは、一定数のＣＣ（たとえば、５つのＣＣ）に制限され得る。他のシステムでは、ＵＥは、より多数のＣＣ（たとえば、拡張キャリアアグリゲーション（ｅＣＡ）構成中の最大３２個のＣＣ）のために構成され得る。ＥＣＡ構成はまた、アップリンクＣＡをサポートするＵＥのための１次ＣＣ上と２次ＣＣ上との両方でのＰＵＣＣＨ送信をサポートし得る。ＰＵＣＣＨフォーマットのいくつかの（some）セットは、ＣＡをサポートし得るが、他のものは、ｅＣＡをサポートし得る。
【００２９】
[0035]異なるアップリンク制御情報組合せに応答して、異なるＰＵＣＣＨフォーマットが、（たとえば、関連するアップリンク制御メッセージを送信するために使用されるＴＴＩまたはサブフレームのために）選択され得る。場合によっては、ＰＵＣＣＨフォーマットの可能なセットの選択は、ＵＥによって決定されるＨＡＲＱ条件に基づき得る。非ＣＡスケジューリングのために、非ＣＡ  ＰＵＣＣＨフォーマットが選択され得る。ＣＡスケジューリングのために、ＣＡ  ＰＵＣＣＨフォーマットが選択され得る。本明細書で説明するように、非ＣＡ  ＰＵＣＣＨフォーマットは、より少ない（fewer）ビットのアップリンク制御情報（ＵＣＩ）をサポートするＰＵＣＣＨフォーマットを指すことがあり、したがって、ＣＡ構成のためのＵＣＩ送信をサポートしないことがある（たとえば、それのために不十分な通信リソース容量を有し得る）。ＣＡ  ＰＵＣＣＨフォーマットは、ＵＣＩのためのより多数の（larger）ビットをサポートするＰＵＣＣＨフォーマットを指し、したがって、ＣＡ構成のためのＵＣＩ送信をサポートし得る。
【００３０】
[0036]Ｐ−ＣＳＩがＰＵＣＣＨフォーマット決定に関与しない場合、ＵＥは、ハイブリッド自動再送要求（ＨＡＲＱ）肯定応答／否定応答（ＡＣＫ／ＮＡＣＫ）に基づいて使用すべきＰＵＣＣＨフォーマットを決定し得、次いで、Ｐ−ＣＳＩをどのように多重化するのかを決定し得る。Ｐ−ＣＳＩがＨＡＲＱ  ＡＣＫ／ＮＡＣＫで多重化され得る場合、どのＰＵＣＣＨフォーマットが使用されるべきかを決定するために、Ｐ−ＣＳＩが使用され得る。いくつかの例では、スケジューリング要求（ＳＲ）もＰＵＣＣＨフォーマット決定に関与し得る。
【００３１】
[0037]上記で紹介した本開示の態様について、ワイヤレス通信システムのコンテキストで以下で説明する。次いで、ＰＵＣＣＨフォーマットのセットからどのＰＵＣＣＨフォーマットを使用すべきかを選択することと、選択されたＰＵＣＣＨフォーマットを使用してアップリンク制御メッセージを送信することとのための特定の例について説明する。また、ＴＴＩ中のＰ−ＣＳＩ報告の衝突の存在を決定することと、ＴＴＩ中に優先度付けルールに基づいて１つまたは複数のＰ−ＣＳＩ報告を送信することとのための例について説明する。本開示のこれらおよび他の態様について、ｅＣＡ中のＰ−ＣＳＩに関係する装置図、システム図、およびフローチャートによってさらに示し、それらを参照しながら説明する。
【００３２】
[0038]図１に、本開示の様々な態様による、ｅＣＡのためのＰ−ＣＳＩ報告をサポートするワイヤレス通信システム１００の一例を示す。ワイヤレス通信システム１００は、基地局１０５と、ユーザ機器（ＵＥ）１１５と、コアネットワーク１３０とを含む。いくつかの例では、ワイヤレス通信システム１００はロングタームエボリューション（ＬＴＥ）／ＬＴＥアドバンスト（ＬＴＥ−Ａ）ネットワークであり得る。ワイヤレス通信システム１００は、ＵＥ１１５と基地局１０５との間の通信のための多数のＣＣをサポートするように構成され得る。たとえば、ＵＥ１１５は、Ｐ−ＣＳＩ報告の優先度付けをサポートすることと、ＰＵＣＣＨフォーマットの拡張セットを使用してＰＵＣＣＨを送信することとを行うように構成され得る。
【００３３】
[0039]基地局１０５は、１つまたは複数の基地局アンテナを介して、ＵＥ１１５とワイヤレスに通信し得る。各基地局１０５は、それぞれの地理的カバレージエリア１１０に通信カバレージを与え得る。ワイヤレス通信システム１００に示されている通信リンク１２５は、ＵＥ１１５から基地局１０５へのアップリンク（ＵＬ）送信、または基地局１０５からＵＥ１１５へのダウンリンク（ＤＬ）送信を含み得る。ＵＥ１１５は、ワイヤレス通信システム１００全体にわたって分散され得、各ＵＥ１１５は固定または移動であり得る。ＵＥ１１５は、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の好適な用語で呼ばれることもある。ＵＥ１１５はまた、セルラーフォン、携帯情報端末（ＰＤＡ）、ワイヤレスモデム、ワイヤレス通信デバイス、ハンドヘルドデバイス、タブレットコンピュータ、ラップトップコンピュータ、コードレスフォン、パーソナル電子デバイス、ハンドヘルドデバイス、パーソナルコンピュータ、ワイヤレスローカルループ（ＷＬＬ）局、モノのインターネット（ＩｏＴ：Internet of things）デバイス、すべてのインターネット（ＩｏＥ：Internet of Everything）デバイス、マシン型通信（ＭＴＣ）デバイス、アプライアンス、自動車などであり得る。
【００３４】
[0040]基地局１０５は、コアネットワーク１３０および互いに通信し得る。たとえば、基地局１０５は、バックホールリンク１３２（たとえば、Ｓ１など）を通して、コアネットワーク１３０とインターフェースし得る。基地局１０５は、直接または間接的にのいずれかで（たとえば、コアネットワーク１３０を通して）バックホールリンク１３４（たとえば、Ｘ２など）を介して互いに通信し得る。基地局１０５は、ＵＥ１１５との通信のための無線構成およびスケジューリングを実行し得るか、または基地局コントローラ（図示せず）の制御下で動作し得る。いくつかの例では、基地局１０５は、マクロセル、スモールセル、ホットスポットなどであり得る。基地局１０５はｅノードＢ（ｅＮＢ）１０５と呼ばれることもある。
【００３５】
[0041]ＵＥ１１５は、たとえば、多入力多出力（ＭＩＭＯ）、多地点協調（ＣｏＭＰ）、または他の方式を通じて、複数の基地局１０５と協調的に通信するように構成され得る。ＭＩＭＯ技法は、複数のデータストリームを送信するためにマルチパス環境を利用するために、基地局上の複数のアンテナまたはＵＥ上の複数のアンテナを使用し得る。ＣｏＭＰは、ＵＥ１１５のための全体的送信品質を改善するためにならびにネットワークおよびスペクトル稼働率を増加させる、いくつかのｅＮＢによる送信および受信の動的協調のための技法を含む。ＣｏＭＰ構成は、ＵＥ１１５のＰ−ＣＳＩ報告（たとえば、Ｐ−ＣＳＩのためのＣＳＩプロセス）に影響を及ぼし得、したがって、ＵＥ１１５のＰＵＣＣＨフォーマット選択またはＰ−ＣＳＩ報告優先度付けに影響を及ぼし得る。
【００３６】
[0042]ワイヤレス通信システム１００はまた、干渉管理およびトラフィック適応（ＩＭＴＡ）技法または拡張ＩＭＴＡ（ｅＩＭＴＡ）技法を採用し得る。ＩＭＴＡ／ｅＩＭＴＡは、トラフィック負荷考慮事項に基づく時分割複信（ＴＤＤ）キャリアのフレキシブルなリソースのための技法を含み得る。たとえば、ＩＭＴＡは、ＤＬトラフィックが重いときにＵＬフレーム中でＤＬデータを送信すること、あるいはＵＬまたはＤＬのいずれかのために使用され得るフレキシブルなサブフレームを予約することに関与し得る。ＩＭＴＡはまた、協調電力制御および局間スケジューリング（coordinated power control and interstation scheduling）のための技法に関与し得る。ＩＭＴＡ構成はまた、ＵＥ１１５のＰ−ＣＳＩ報告（たとえば、Ｐ−ＣＳＩのためのサブフレームセット）に影響を及ぼし得、したがって、ＵＥ１１５のＰＵＣＣＨフォーマット選択またはＰ−ＣＳＩ報告優先度付けに影響を及ぼし得る。
【００３７】
[0043]通信リンク１２５は、キャリアに編成された１つまたは複数の周波数範囲を含み得る。キャリアは、ＣＣ、レイヤ、チャネルなどと呼ばれることもある。「コンポーネントキャリア」という用語は、キャリアアグリゲーション（ＣＡ）動作においてＵＥによって利用される複数のキャリアの各々を指すことがあり、システム帯域幅の他の部分とは別個であり得る。たとえば、ＣＣは、独立して、または他のＣＣと組み合わせて利用されることをサポートする比較的狭い帯域幅のキャリアであり得る。各ＣＣは、ＬＴＥ規格のリリース８またはリリース９に基づく分離キャリアと同じ能力を与え得る。
【００３８】
[0044]複数のＣＣは、より高いデータレートをサポートし得るより大きい帯域幅をいくつかのＵＥ１１５に提供するために、アグリゲートされるかまたは同時に利用され得る。したがって、個々のＣＣは、レガシーＵＥ１１５（たとえば、ＬＴＥリリース８またはリリース９を実装するＵＥ１１５）との後方互換性があり得るが、他のＵＥ１１５（たとえば、リリース８／９後のＬＴＥバージョンを実装するＵＥ１１５）は、マルチキャリアモードにおいて複数のＣＣを用いて構成され得る。ダウンリンク（ＤＬ）のために使用されるキャリアはＤＬ  ＣＣと呼ばれることがあり、アップリンク（ＵＬ）のために使用されるキャリアはＵＬ  ＣＣと呼ばれることがある。ＵＥ１１５は、キャリアアグリゲーションのために、複数のＤＬ  ＣＣと１つまたは複数のＵＬ  ＣＣとで構成され得る。各キャリアは、制御情報（たとえば、基準信号、制御チャネルなど）、オーバーヘッド情報、データなどを送信するために使用され得る。ＵＥ１１５は、複数のキャリアを利用して単一の基地局１０５と通信し得、また、異なるキャリア上で同時に複数の基地局と通信し得る。
【００３９】
[0045]いくつかの場合には、ワイヤレス通信システム１００は１つまたは複数の拡張コンポーネントキャリア（ｅＣＣ：enhanced component carrier）を利用し得る。ｅＣＣは、フレキシブル帯域幅、異なる送信時間間隔（ＴＴＩ）、および変更された制御チャネル構成を含む、１つまたは複数の特徴によって特徴づけられ得る。いくつかの場合には、ｅＣＣは、ＣＡ構成またはデュアル接続性構成（たとえば、複数のサービングセルが準最適なバックホールリンクを有するとき）に関連付けられ得る。ｅＣＣはまた、（たとえば、２つ以上の事業者が、無線周波数スペクトル帯域を使用することを認可された場合）無認可無線周波数スペクトル帯域または共有無線周波数スペクトル帯域において使用するために構成され得る。フレキシブル帯域幅によって特徴づけられるｅＣＣは、全帯域幅を監視しないかまたはそれを行うことが可能でないか、あるいは（たとえば、電力を節約するために）限られた帯域幅を使用するように構成されたＵＥ１１５によって利用され得る１つまたは複数の帯域幅セグメントを含み得る。
【００４０】
[0046]基地局１０５の各セルは、ＵＬ  ＣＣとＤＬ  ＣＣとを含み得る。基地局１０５のための各サービングセルの地理的カバレージエリア１１０は異なり得る（たとえば、異なる周波数帯域上のＣＣは、異なる経路損失を経験し得る）。いくつかの例では、あるキャリアは、１次セル（ＰＣｅｌｌ）によってサービスされ得る、ＵＥ１１５のための１次キャリアまたは１次コンポーネントキャリア（ＰＣＣ）として指定される。１次セルは、ＵＥごとに上位レイヤ（たとえば、無線リソース制御（ＲＲＣ）レイヤなど）によって半静的に構成され得る。物理アップリンク制御チャネル（ＰＵＣＣＨ）上で送信されるある（certain）ＵＣＩ（たとえば、ＡＣＫ／ＮＡＣＫ）、チャネル品質インジケータ（ＣＱＩ）、およびスケジューリング情報は、１次セルによって搬送され得る。追加のキャリアは、２次セル（ＳＣｅｌｌ）によってサービスされ得る、２次キャリア、または２次コンポーネントキャリア（ＳＣＣ）として指定され得る。２次セルはまた、ＵＥごとに半静的に構成され得る。いくつかの場合には、２次セルは、１次セルと同じ制御情報を含まないことがあるかまたはそれを送信するように構成されないことがある。他の場合には、１つまたは複数の２次セル（ＳＣｅｌｌ）は、物理アップリンク制御チャネル（ＰＵＣＣＨ）を搬送するために指定され得、ＳＣｅｌｌは、関連するＵＬ制御情報を搬送するためにどのＣＣが使用されるかに基づいてＰＵＣＣＨグループに編成され得る。いくつかのワイヤレスネットワークは、多数のキャリア（たとえば、５つのキャリアから３２個のキャリアの間）に基づく拡張ＣＡ動作、無認可無線周波数スペクトル帯域中の動作、または拡張ＣＣの使用を利用し得る。多数のキャリアでの動作は、ＣＳＩ情報を報告するための変更されたＰＵＣＣＨ手順（modified PUCCH procedures）などの変更された制御構成によって特徴づけられ得る。
【００４１】
[0047]ＰＵＣＣＨは、ＵＬ  ＨＡＲＱ  ＡＣＫ／ＮＡＣＫ、ＳＲ、ＣＱＩおよび他のＵＬ制御情報のために使用され得る。ＰＵＣＣＨは、コードと２つの連続するリソースブロックとによって定義される制御チャネルにマッピングされ得る。ＵＬ制御シグナリングは、セルのタイミング同期の存在に依存し得る。スケジューリング要求（ＳＲ）およびチャネル品質インジケータ（ＣＱＩ）報告のためのＰＵＣＣＨリソースが、無線リソース制御（ＲＲＣ）シグナリングを通して割り当てられるかまたは失効され得る。いくつかの場合には、ＳＲのためのリソースは、ランダムアクセスチャネル（ＲＡＣＨ：random access channel）プロシージャを通して同期を獲得した後に割り当てられ得る。他の場合には、ＳＲは、ＲＡＣＨを通じてＵＥ１１５に割り当てられないことがある（すなわち、同期したＵＥ１１５は、専用ＳＲチャネルを有することも、有しないこともある）。ＳＲおよびＣＱＩのためのＰＵＣＣＨリソースは、ＵＥ１１５がもはや同期されないときに失われ得る。場合によっては、ＰＵＣＣＨフォーマットは、ＨＡＲＱと、ＣＳＩと、ＳＲ情報とを含み得るアップリンク制御ペイロードのサイズに基づいて選択され得る。多数のＣＣが構成される場合、大きいＰＵＣＣＨペイロードに適応する（accommodate）ために拡張ＰＵＣＣＨフォーマットが使用され得る。
【００４２】
[0048]ＨＡＲＱは、データが通信リンク１２５にわたって正確に受信されることを確実にする方法であり得る。ＨＡＲＱは、（たとえば、巡回冗長検査（ＣＲＣ：cyclic redundancy check）を使用する）誤り検出、前方誤り訂正（ＦＥＣ：forward error correction）、および再送信（たとえば、自動再送要求（ＡＲＱ））の組合せを含み得る。ＨＡＲＱは、悪い無線状態（たとえば、悪い信号対雑音比条件）において媒体アクセス制御（ＭＡＣ）レイヤにおけるスループットを改善し得る。インクリメンタル冗長ＨＡＲＱでは、不正確に受信されたデータは、データを正常に復号することの全体的尤度を改善するために、バッファに記憶され、後続の送信と組み合わされ得る。場合によっては、冗長ビットが送信より前に各メッセージに追加される。これは、悪い無線状態において特に有用であり得る。他の場合には、冗長ビットは、各送信に追加されないが、元のメッセージの送信機が、情報を復号する試みの失敗を示すＮＡＣＫを受信した後に再送信される。送信、応答および再送信のチェーンは、ＨＡＲＱプロセスと呼ばれることがある。いくつかの場合には、限られた数のＨＡＲＱプロセスが所与の通信リンク１２５のために使用され得る。
【００４３】
[0049]基地局１０５は、ＵＥ１１５のチャネル推定およびコヒーレント復調を助けるために、セル固有基準信号（ＣＲＳ）などの周期パイロットシンボルを挿入し得る。ＣＲＳは、５０４個の異なるセル識別情報のうちの１つを含み得る。それらは、それらを雑音および干渉に対してより耐性があるようにするために、４位相シフトキーイング（ＱＰＳＫ）とブーストされた（たとえば、周囲のデータ要素よりも６ｄＢ高く送信された）電力とを使用して変調され得る。ＣＲＳは、受信ＵＥ１１５のアンテナポートまたはレイヤの数（最高４つ）に基づいて各リソースブロック中の４〜１６個のリソース要素中に埋め込まれ得る。基地局１０５の地理的カバレージエリア１１０中のすべてのＵＥ１１５によって利用され得るＣＲＳに加えて、復調基準信号（ＤＭＲＳ）は、特定のＵＥ１１５を対象とし得、それらのそれぞれのＵＥ１１５に割り当てられたリソースブロック上でのみ送信され得る。いくつかの場合には、チャネル状態情報基準信号（ＣＳＩ−ＲＳ）として知られる追加の基準信号が、ＣＳＩを生成するのを助けるために含まれ得る。ＵＬ上で、ＵＥ１１５は、それぞれ、リンク適応および復調のための周期サウンディング基準信号（ＳＲＳ）とＵＬ  ＤＭＲＳの組合せを送信し得る。
【００４４】
[0050]基地局１０５は、チャネルを効率的に構成およびスケジュールするためにパイロットシンボルに基づいてＵＥ１１５からチャネル状態情報を収集し（gather）得る。この情報は、チャネル状態報告の形態でＵＥ１１５から送られ得る。チャネル状態報告は、（たとえば、ＵＥ１１５のアンテナポートに基づいて）ＤＬ送信のために使用されるべきレイヤの数を要求するランクインジケータ（ＲＩ：rank indicator）と、（たとえば、レイヤの数に基づいて）どのプリコーダ行列を使用すべきであるかの選好を示すプリコーディング行列インジケータ（ＰＭＩ：precoding matrix indicator）と、使用され得る最高の変調およびコーディング方式（ＭＣＳ）を表すＣＱＩとを含み得る。ＣＱＩは、ＣＲＳまたはＣＳＩ−ＲＳなどの所定のパイロットシンボルを受信した後にＵＥ１１５によって計算され得る。ＲＩおよびＰＭＩは、ＵＥ１１５が空間多重化をサポートしない（または空間多重化をサポートするモードで動作していない）場合に除外され得る。報告中に含まれる情報のタイプは報告タイプを決定する。チャネル状態報告は、周期的または非周期的であり得る。すなわち、基地局１０５は、一定の間隔で周期的報告を送るようにＵＥ１１５を構成し得、必要に応じて追加の報告をも要求し得る。非周期的報告は、セル帯域幅全体にわたるチャネル品質を示す広帯域報告、最良のサブバンドのサブセットを示すＵＥ選択報告、または報告されるサブバンドが基地局１０５によって選択される構成報告を含み得る。場合によっては、ＵＥ１１５は、複数のＰ−ＣＳＩ報告が同じサブフレームのためにスケジュールされるときに基地局１０５に優先順位の高い報告が送信されることを保証するために、いくつかのＰ−ＣＳＩ報告を他のものよりも優先させ得る。
【００４５】
[0051]可能なＰ−ＣＳＩ報告タイプのいくつかの例としては、ＣＱＩフィードバックをサポートし得るタイプ１報告と、サブバンドＣＱＩと第２のＰＭＩフィードバックとをサポートし得るタイプ１ａ報告と、広帯域ＣＱＩとＰＭＩフィードバックとをサポートし得るタイプ２、タイプ２ｂ、およびタイプ２ｃ報告と、広帯域ＰＭＩフィードバックをサポートし得るタイプ２ａ報告と、ＲＩフィードバックをサポートし得るタイプ３報告と、広帯域ＣＱＩをサポートし得るタイプ４報告と、ＲＩおよび広帯域ＰＭＩフィードバックをサポートし得るタイプ５報告と、ＲＩとプリコーダタイプ指示（ＰＴＩ）フィードバックとをサポートし得るタイプ６報告とを含む。
【００４６】
[0052]場合によっては（in some cases）、ＵＥ１１５は、ＣＣのセット上での送信に関連するＨＡＲＱフィードバックを報告するためのＨＡＲＱペイロードのサイズを検出し得る。ＵＥ１１５はまた、ＳＲまたはＰ−ＣＳＩ報告が存在する（たとえば、ＴＴＩ中に含まれるべきである、サブフレーム中に含まれるべきである、サブフレーム中で送信されるべきである、アップリンク（ＵＬ）制御メッセージ中に含まれるべきである、サブフレーム中でＨＡＲＱフィードバックとともに含まれるべきである、サブフレーム中での送信のために利用可能であるなど）と決定し得る。組み合わされたアップリンクペイロードがしきい値を上回る場合、ＵＥ１１５は、多数のＣＣに関連するＰＵＣＣＨフォーマットを選択し得る。ペイロードがしきい値を下回る場合、より少ない数のＣＣのためのフォーマットが選択され得る。場合によっては、ＵＥ１１５は、ＣＡ構成のいくつかのＣＣのためのサブフレーム中に２つ以上のＰ−ＣＳＩ報告の構成を受信し得る。ＵＥ１１５は、次いで、所与のサブフレーム中に送信予定のＰ−ＣＳＩ報告に優先度を付け得、優先度付けに従って報告のうちの少なくとも１つ（たとえば、少なくとも構成されたＰ−ＣＳＩ報告のサブセット）を送信し得る。
【００４７】
[0053]図２に、本開示の様々な態様による、ｅＣＡ中のＰ−ＣＳＩ報告をサポートするワイヤレス通信システム２００の一例を示す。ワイヤレス通信システム２００は、図１を参照しながら説明したＵＥ１１５と基地局１０５との例であり得る、ＵＥ１１５−ａと基地局１０５−ａとを含み得る。ワイヤレス通信システム２００は、ＵＥ１１５−ａと基地局１０５−ａとの間の通信のための多数のＣＣ２２０をサポートするように構成され得る。たとえば、ＵＥ１１５−ａは、Ｐ−ＣＳＩ報告の優先度付けをサポートすることと、ＰＵＣＣＨフォーマットの拡張セットを使用してＰＵＣＣＨを送信することとを行うように構成され得る。
【００４８】
[0054]いくつかの例についてＬＴＥシステムに関して説明するが、本明細書で説明する方法およびモバイルデバイスが、他のワイヤレスシステムに拡張され得る。たとえば、本開示の実施形態は、ＣＡをサポートすることもサポートしないこともあるＷｉＭＡＸ（登録商標）、ＵＭＢ、あるいは他の３Ｇまたは４Ｇワイヤレスシステムとともに使用されるように拡張または変更され得る。
【００４９】
[0055]いくつかのワイヤレスシステムでは、ＵＥ１１５は、一定数のＣＣ（たとえば、５つのＣＣ）に制限され得る。他のシステムでは、ＵＥ１１５は、拡張キャリアアグリゲーション（ｅＣＡ）構成中のより多数のＣＣ（たとえば、最大３２個のＣＣ）のために構成され得る。ＥＣＡ構成はまた、上述のように、アップリンクＣＡをサポートするＵＥのための１次ＣＣ上と２次ＣＣ上との両方でのＰＵＣＣＨ送信をサポートし得る。ＵＥ１１５−ａは、多数のＣＣ（たとえば、６つ以上）で構成されたＵＥ１１５を表し得る。
【００５０】
[0056]ＵＥ１１５−ａは、ある周期性をもつＰ−ＣＳＩ送信を介して各ＣＣのためのチャネル状態を報告するように構成され得る。いくつかの例では、ＵＥ１１５−ａは、サブフレーム中で複数の（multiple）ＣＣのためのＰ−ＣＳＩフィードバックを与えるように構成されるとき、それは従属する報告制限であり得る。同じＣＣに予定の２つ以上のＰ−ＣＳＩ報告がある場合、Ｐ−ＣＳＩ報告のセットからのＰ−ＣＳＩ報告のサブセット（たとえば、１つのＰ−ＣＳＩ報告）が報告され得るが、他のものがドロップされる。いくつかの例では、異なるアップリンク制御情報組合せに応答して異なるＰＵＣＣＨフォーマットが選択され得る。非ＣＡスケジューリングのために、非ＣＡ  ＰＵＣＣＨフォーマットが選択され得る。ＣＡスケジューリングのために、ＣＡ  ＰＵＣＣＨフォーマットが選択され得る。Ｐ−ＣＳＩが選択に関与しない場合、ＵＥ１１５−ａは、ＨＡＲＱのみ（alone）に基づいてＰＵＣＣＨフォーマットを決定し得、次いで、ＨＡＲＱペイロードでＰ−ＣＳＩを多重化し得る。Ｐ−ＣＳＩが選択に関与する場合、Ｐ−ＣＳＩは、しきい値との比較より前にＨＡＲＱペイロードで多重化され得る。ＳＲはまた、ＰＵＣＣＨフォーマット決定に関与し得る。
【００５１】
[0057]場合によっては、１つのＣＣが、ＵＥ１１５−ａのためのＰＣＣとして構成され得る。いくつかの例では、ＰＣＣは、ＵＥ１１５−ａのためのＰＵＣＣＨと共通探索空間とを搬送する唯一のＣＣであり得る。いくつかのワイヤレスシステムでは、ＰＵＣＣＨは、ＵＥ１１５−ａのためにＣＡ中の２つのＣＣ上で使用可能に（enabled）なり得る。そのような場合、ＰＣＣに加えて、１つまたは複数の２次セルがＰＵＣＣＨを搬送し得る。たとえば、この能力は、デュアル接続性およびＰＵＣＣＨ負荷分散のために利用され得る。デュアル接続性では、基地局１０５−ａは、ＵＥ１１５−ａのためのＣＣをサポートする他の基地局１０５（図示せず）との理想的なバックホールを有しないことがある。セル間の緊密な協調（tight coordination）は、制限されたバックホール容量と無視できないバックホールレイテンシ（たとえば、数十ミリ秒）とにより可能でないことがある。デュアル接続性では、セルは、１次セルグループ（ＰＣＧ）と２次セルグループ（ＳＣＧ）との２つのグループに区分され得る。各グループは、キャリアアグリゲーションにおいて１つまたは複数のセルを有し得る。各グループはまた、ＰＵＣＣＨを搬送する単一のセルを有し得、ここで、ＰＣＧ中のＰＣｅｌｌは、ＰＣＧのためのＰＵＣＣＨを搬送し、ＳＣＧ中の１次ＳＣｅｌｌ（ＰＳＣｅｌｌ）は、ＳＣＧのためのＰＵＣＣＨを搬送する。さらに、共通探索空間は、ＵＥ１１５−ａによってＳＣＧ中で監視され得る。場合によっては、アップリンク制御情報は、各グループ中でＰＵＣＣＨを使用して各グループに別個に搬送される。
【００５２】
[0058]いくつかの例では、ＵＥ１１５−ａは、ある周期性とサブフレームオフセット（たとえば、基地局１０５から受信されたＤＬサブフレームとＵＥ１１５−ａによる応答Ｐ−ＣＳＩ報告との間のいくつかの（a number of）サブフレーム）とをもつＰ−ＣＳＩ送信で構成され得る。Ｐ−ＣＳＩ構成は、ＣＡ中の異なるＣＣごとに、ＣＣ中に２つ以上のＣＳＩプロセスがある場合はＣＳＩプロセスごとに、ＣＳＩプロセスが２つ以上のサブフレームセットを有する場合はサブフレームセットごとに別個であり得る。場合によっては、サブフレーム中に予定のＣＣについて２つ以上のＣＳＩタイプがあり得、場合によっては、サブセット（たとえば、１タイプ）のみが送信され得る。さらに、ＣＣにわたる２つ以上のＣＳＩ報告がサブフレーム中に予定される（are due）場合、サブセット（たとえば、１つのＣＣのＰ−ＣＳＩ報告）のみが送信され得るが、衝突中の他の報告がドロップされ得る。様々な例では、Ｐ−ＣＳＩ報告のサブセットを報告することを決定することは、Ｐ−ＣＳＩ報告タイプに基づいてＰ−ＣＳＩ報告に優先度を付けることを含み得、これは、ＵＥ１１５−ａのために構成されたＣＣ内の優先度付け、またはＵＥ１１５−ａのために構成されたＣＣにわたる優先度付け、またはそれらの組合せを含み得る。追加または代替として、Ｐ−ＣＳＩ報告は、ＵＥ１１５−ａのために構成されたＣＣのための複数のＰ−ＣＳＩプロセスからの少なくとも１つのＰ−ＣＳＩプロセスからの報告、ＵＥ１１５−ａのために構成されたＣＣのための複数のＰ−ＣＳＩサブフレームセットからの少なくとも１つのＰ−ＣＳＩサブフレームセットのためのＰ−ＣＳＩプロセスからの報告、またはそれらの組合せを含み得る。場合によっては、Ｐ−ＣＳＩ報告は、たとえば、（たとえば、ＰＣｅｌｌが１次グループ中にスケジュールされる場合に、またはＰＵＣＣＨ対応セルが２次グループ中にスケジュールされる場合に）ＰＵＣＣＨフォーマット２／２ａ／２ｂを使用し、ＣＡおよびＰ−ＣＳＩの下でＰＵＣＣＨフォーマット３を使用してＨＡＲＱ  ＡＣＫ／ＮＡＣＫとともに送信され得る。場合によっては、Ｐ−ＣＳＩとＨＡＲＱ  ＡＣＫ／ＮＡＣＫとが一緒にコーディングされ、マッピングされる場合、Ｐ−ＣＳＩ報告もＨＡＲＱ  ＡＣＫ／ＮＡＣＫとともに送信され得る。
【００５３】
[0059]場合によっては、Ｐ−ＣＳＩ優先度付けルールは、最初に、ＣＳＩタイプ（たとえば、同じセル内で、最初に、タイプ３／５／６、その後、タイプ１／１ａ／２／２ａ／２ｂ／２ｃ／４、および、ＣＣにわたり、最初に、タイプ３／５／６／２ａ、その後、タイプ２／２ｂ／２ｃ／４、その後、タイプ１／１ａ）、その後、タイブレーカー（tie-breaker）を含み得る。いくつかの例では、タイブレーカーは、最初に、ＣＳＩプロセスＩＤ（たとえば、より低いＣＳＩプロセスが、より高い優先度に対応し得る）、その後、ＣＣインデックス（たとえば、より低いＣＣインデックスが、より高い優先度に対応し得る）、その後、サブフレームセットインデックス（たとえば、より低いＰ−ＣＳＩサブフレームセットインデックスが、より高い優先度に対応し得る）を含み得る。
【００５４】
[0060]ＣＡ構成は、ＤＬおよびＵＬ通信のために最大３２個のＣＣのキャリアアグリゲーションを使用可能にする（enable）ために可能な機構に基づいてＳＣｅｌｌ上にＰＵＣＣＨのための物理レイヤ仕様を展開し得る。たとえば、いくつかの物理レイヤ仕様は、自己スケジューリングとクロスキャリアスケジューリングとの両方を含む最大３２個のＣＣのためのＤＬ制御シグナリングと、最大３２個のＣＣのためのＵＬ制御シグナリングとを含み得る。場合によっては、最大３２個のＤＬキャリアのためのＰＵＣＣＨに対するＵＣＩフィードバックをサポートすることが適切であり得、ここで、ＵＣＩシグナリングフォーマットは、最大３２個のＤＬキャリアのためのＵＣＩフィードバックをサポートし得る。
【００５５】
[0061]ＰＵＣＣＨ構成およびＰＵＣＣＨ上でのＰ−ＣＳＩ報告のために、サブフレーム中での複数のサービングセルに対応するＰ−ＣＳＩ報告の多重化、サブフレーム中でのＨＡＲＱ  ＡＣＫ／ＮＡＣＫフィードバックでの複数のサービングセルに対応するＰ−ＣＳＩ報告の多重化など、Ｐ−ＣＳＩをドロップする確率を低減するための適切な使用技法であり得る。さらに、ＵＥ１１５−ａは、ＨＡＲＱコードブックサイズとＰＵＣＣＨフォーマットとを動的に決定し得る。場合によっては、これは、ＰＵＣＣＨセルグループ中のＣＡ中のＣＣの数と各ＣＣのＤＬ送信モードとの半静的構成に基づくＣＡ  ＨＡＲＱコードブックサイズ決定機構とは異なり得る。さらに、ＨＡＲＱコードブックとＰＵＣＣＨフォーマットとに関するＵＥ１１５−ａと基地局１０５−ａとの間の理解（understanding）を保証することが適切であり得る。
【００５６】
[0062]ワイヤレス通信システム２００は、マルチＣＳＩプロセス、Ｐ−ＣＳＩ構成、またはマルチサブフレームセットＰ−ＣＳＩ構成をサポートし得る。ＨＡＲＱフィードバックのためのＰＵＣＣＨフォーマットはまた、動的適応の対象となり（be subject to）得る。いくつかの例では、多数のスケジュールされたＣＣのために、少なくとも１つの新しいＰＵＣＣＨフォーマットが使用され得、スケジュールされたＣＣの数が小さいとき、ＰＵＣＣＨフォーマット３が使用され得、スケジュールされたＣＣの数が極めて小さい（たとえば、１次グループ中でＰＣｅｌｌのみがスケジュールされる、または２次グループ中でＰＵＣＣＨ対応のＳＣｅｌｌのみがスケジュールされる）とき、ＰＵＣＣＨフォーマット１ａ／１ｂ／２／２ａ／２ｂが使用され得る。
【００５７】
[0063]ＵＥ１１５−ａが、サブフレーム中に複数のＣＣのためのＰ−ＣＳＩを与えるように構成される場合、ＵＥ１１５−ａは、ＣＣごとに単一のＰ−ＣＳＩ報告を有するように限定され得る。いくつかの例では、（たとえば、異なるＣＳＩプロセス、異なるサブフレームセットなどから）ＣＣ内に予定の（due）２つ以上のＰ−ＣＳＩ報告があり得る。１つのＰ−ＣＳＩ報告は、報告され得るが、他のものはドロップされ得る。これらの場合、優先度付けルールが適用され得る（たとえば、最初に、ＣＳＩタイプ、その後、ＣＳＩプロセスＩＤ、その後、サブフレームセットインデックス）。他の場合には、ＵＥ１１５−ａは、少なくとも１つのＣＣのための２つ以上のＰ−ＣＳＩ報告を有し得る。そのような場合、ＵＥ１１５−ａは、ＣＣにわたるまたはＣＣ内への優先度付けルールの対象となり得、使用中のＰＵＣＣＨフォーマットの容量に基づき得る（たとえば、最初に、ＣＳＩタイプ、その後、ＣＳＩプロセスＩＤ、その後、ＣＣインデックス、その後、サブフレームセットＩＤ）。
【００５８】
[0064]たとえば、ＣＣ１−ＣＳＩプロセスＩＤ１およびサブフレームセット１、ＣＳＩプロセスＩＤ２と、ＣＣ２−ＣＳＩプロセス３と、ＣＣ３−ＣＳＩプロセスＩＤ１との、同様のＣＳＩタイプの３つのＣＣが同じサブフレーム中に予定になり得る場合があり得る。そのような場合、優先度は、ＣＣ１−ＣＳＩプロセスＩＤ１およびサブフレームセット１、その後、ＣＣ３：ＣＳＩプロセスＩＤ１、その後、ＣＣ１−ＣＳＩプロセスＩＤ２、その後、ＣＣ２−ＣＳＩプロセス３となることになる。場合によっては、マルチＰ−ＣＳＩ報告を、マルチＣＣ  Ｐ−ＣＳＩ報告とは無関係のマルチＣＳＩプロセス／マルチサブフレームに拡張することが適切であり得る。ＵＥ１１５−ａが、ＣＡ（たとえば、非ＣＡ動作）で構成されない場合でも、ＵＥ１１５−ａは、マルチＣＳＩプロセス／マルチサブフレームセットＰ−ＣＳＩを報告するように構成され得る。
【００５９】
[0065]（たとえば、サイズしきい値との比較に基づく）異なるアップリンク制御ペイロード組合せに応答して、異なるＰＵＣＣＨフォーマットが選択され得る。ＰＵＣＣＨフォーマットの可能なセットの選択は、ＵＥ１１５−ａによって決定されるＨＡＲＱ条件に基づき得る。いくつかの例では、ＨＡＲＱは非ＣＡスケジューリングのためにのみ検出され得、非ＣＡ  ＰＵＣＣＨフォーマットが選択され得る（たとえば、１／１ａ／１ｂ／２／２ａ／２ｂ）。他の例では、ＨＡＲＱは、ＣＡスケジューリングを関与させるために検出され得（たとえば、物理ダウンリンク共有チャネル（ＰＤＳＣＨ）送信がＳＣｅｌｌ上で検出され得）、チャネル選択ありのＣＡ  ＰＵＣＣＨフォーマット３またはＰＵＣＣＨフォーマット１ｂが選択され得る。さらに、Ｐ−ＣＳＩがＨＡＲＱ  ＡＣＫ／ＮＡＣＫで多重化され得る場合、どのフォーマットを使用すべきか（たとえば、ＰＵＣＣＨフォーマット３またはＰＵＣＣＨフォーマット２／２ａ／２ｂ）を決定するために、Ｐ−ＣＳＩが使用されることも使用されないこともある。最大３２個のＣＣが構成されたシステムでは、ＰＵＣＣＨフォーマット３およびＰＵＣＣＨフォーマット２／２ａ／２ｂは、多くて１つのＣＣのＰ−ＣＳＩを搬送し得、あるいは１つまたは複数の新しいＰＵＣＣＨフォーマット（たとえば、ＰＵＣＣＨフォーマット４または５）は、２つ以上のＣＣのＰ−ＣＳＩを搬送することができる。Ｐ−ＣＳＩが、ＨＡＲＱ  ＡＣＫ／ＮＡＣＫとともにサブフレーム中に予定されるとき、Ｐ−ＣＳＩがＰＵＣＣＨフォーマット選択に関与すべきであるのかどうかを決定することも適切であり得る。
【００６０】
[0066]場合によっては、Ｐ−ＣＳＩは、ＰＵＣＣＨフォーマット選択に関与しないことがある。そのような場合、ＵＥ１１５−ａは、ＨＡＲＱ  ＡＣＫ／ＮＡＣＫに基づいて使用すべきＰＵＣＣＨフォーマットを決定し得、Ｐ−ＣＳＩをどのように多重化するのかを決定し得る。他の場合には、ＳＲがＰＵＣＣＨフォーマット決定に関与し得る。たとえば、ＨＡＲＱペイロードが６４ビットよりも大きい場合、拡張ＰＵＣＣＨフォーマット（たとえば、フォーマット５）が使用され得、マルチＣＣ  Ｐ−ＣＳＩが多重化され得、ＨＡＲＱペイロードが２１ビットよりも大きい場合、ＰＵＣＣＨフォーマット４が使用され得、マルチＣＣ  Ｐ−ＣＳＩが多重化され得、ＨＡＲＱペイロードがＣＡスケジューリングに関連付けられる（たとえば、少なくとも１つのＳＣＣがスケジュールされる）場合、ＰＵＣＣＨフォーマット３が使用され得、多くて１つのＣＣのＰ−ＣＳＩが多重化され得、ＨＡＲＱペイロードが非ＣＡ事例（case）に対応する場合、ＨＡＲＱおよびＰ−ＣＳＩビットを多重化するためにＰＵＣＣＨフォーマット２／２ａ／２ｂが使用され得る。場合によっては、これにより、より効率的なＨＡＲＱ動作が可能になり得る。上記の例では、（たとえば、ＴＴＩ中に含まれるべき、サブフレーム中に含まれるべきなどの）ＳＲが存在する場合、ＳＲは、使用すべきそれぞれのＰＵＣＣＨフォーマットを決定する際に対応するしきい値に対してＨＡＲＱペイロードとともにカウントされ得る。
【００６１】
[0067]Ｐ−ＣＳＩがＰＵＣＣＨフォーマット選択に関与する場合、ＵＥ１１５−ａは、ＨＡＲＱ  ＡＣＫ／ＮＡＣＫとＰ−ＣＳＩとに基づいて使用すべきＰＵＣＣＨフォーマットを決定し得る。ＳＲはまた、ＰＵＣＣＨフォーマット決定に関与し得る。たとえば、ＨＡＲＱビット、ＳＲビット、およびＰ−ＣＳＩビットペイロードの総数（collective number）が６４ビットよりも大きい場合、ＰＵＣＣＨフォーマット５が使用され得、マルチＣＣ  Ｐ−ＣＳＩが多重化され得、ＨＡＲＱビット、ＳＲビット、およびＰ−ＣＳＩビットペイロードの総数が２２ビットよりも大きい場合、ＰＵＣＣＨフォーマット５が使用され得、マルチＣＣ  Ｐ−ＣＳＩが多重化され得、ＨＡＲＱペイロードがＣＡスケジューリングに関連付けられる（たとえば、少なくとも１つのＳＣＣがスケジュールされる）場合、ＰＵＣＣＨフォーマット３が使用され得、多くて１つのＣＣのＰ−ＣＳＩが多重化され得、ＨＡＲＱペイロードが非ＣＡ事例に対応する場合、ＨＡＲＱおよびＰ−ＣＳＩを多重化するためにＰＵＣＣＨフォーマット２／２ａ／２ｂが使用され得る（たとえば、ＳＲが存在しない場合）。場合によっては、これにより、より効率的なＰ−ＣＳＩフィードバックが可能になり得る。したがって、ＵＥ１１５−ａは、Ｐ−ＣＳＩがＰＵＣＣＨフォーマット選択に関与し得る場合とそれに関与しないことがある場合との両方をサポートするように構成され得る。
【００６２】
[0068]図３に、本開示の様々な態様による、ｅＣＡのためのＰ−ＣＳＩ報告のためのマルチＣＳＩフィードバックプロセス３００の一例を示す。マルチＣＳＩフィードバックプロセス３００は、図１〜図２を参照しながら説明したＵＥ１１５と基地局１０５との例であり得る、ＵＥ１１５−ｂと基地局（ＢＳ）１０５−ｂとを含み得る。
【００６３】
[0069]マルチＣＳＩフィードバックプロセス３００は、基地局１０５−ｂとＵＥ１１５−ｂとの間のワイヤレス通信システムにおいてマルチＣＳＩフィードバックプロセスを実装する態様を示し得る。ワイヤレス通信の方法は、ＴＴＩ（たとえば、サブフレーム）中での複数のＰ−ＣＳＩ報告の送信をサポートする構成を受信することを含み得る。Ｐ−ＣＳＩ報告は、ＣＳＩプロセスの複数のサブフレームセットのための２つ以上のＰ−ＣＳＩ報告、ＣＣの複数のＣＳＩプロセスのためのＰ−ＣＳＩ報告、またはＣＡ構成の複数のＣＣのためのＰ−ＣＳＩ報告に関連付けられ得る。
【００６４】
[0070]３０５において、基地局１０５−ｂは、チャネル推定のためにＵＥ１１５−ｂにいくつかのパイロット信号を送信し得る。いくつかの例では、基地局１０５−ｂはまた、ＵＥ１１５−ｂに構成情報を送り得る。構成は、複数のＰ−ＣＳＩ報告の送信をサポートし得、ＣｏＭＰ構成、１つまたは複数のＰＵＣＣＨグループをもつＣＡ構成、デュアル接続性構成またはＩＭＴＡ構成のうちの少なくとも１つを含み得る。場合によっては、ＣＡ構成は６つ以上のＣＣの構成を含み得る。
【００６５】
[0071]３１０において、ＵＥ１１５−ｂは、ＴＴＩ中に送信予定の２つ以上のＰ−ＣＳＩ報告を決定し得る。３１５において、ＵＥ１１５−ｂは、優先度付けルールに従ってＰ−ＣＳＩ報告に優先度を付け得る。優先度付けルールは、２つ以上のＰ−ＣＳＩ報告のペイロード容量またはペイロードサイズに基づき得る。場合によっては、ペイロード容量は、ＰＵＣＣＨフォーマットに基づき得る。たとえば、優先度付けルールは、最初に、ＣＳＩタイプ、その後、ＣＳＩプロセスＩＤ、その後、ＣＣインデックス、その後、サブフレームセットインデックスを含み得る。様々な例では、優先度付けは、ＣＣ内で、またはＣＣにわたって、またはそれらの組合せで実行され得る。
【００６６】
[0072]３２０において、ＵＥ１１５−ｂは、１つまたは複数の非優先Ｐ−ＣＳＩ報告をドロップし得、３２５において、ＵＥ１１５−ｂは、（たとえば、アップリンク制御メッセージ中で）優先度付けルールに従ってＴＴＩ中にＰ−ＣＳＩ報告のうちの少なくとも１つを送信し得る。
【００６７】
[0073]図４に、本開示の様々な態様による、ｅＣＡのためのＰ−ＣＳＩ報告のためのプロセスフロー４００の一例を示す。プロセスフロー４００は、図１〜図３を参照しながら説明したＵＥ１１５と基地局１０５との例であり得る、ＵＥ１１５−ｃと基地局１０５−ｃとを含み得る。プロセスフロー４００は、基地局１０５−ｃと１１５−ｃとの間のワイヤレス通信システムにおいてどのＰＵＣＣＨフォーマットを使用すべきかを決定するためのシグナリングおよび動作を示し得る。本開示の範囲を逸脱することなく修正、適応および変更が行われ得る。
【００６８】
[0074]４０５において、基地局１０５−ｃは、ＵＥ１１５−ｃに１つまたは複数のＤＬ信号を送信し得る。ＤＬ信号は、１つまたは複数のＣＣに、および１つまたは複数のＨＡＲＱプロセスに関連付けられ得る。基地局１０５−ｃは、チャネル推定のためにＵＥ１１５−ｃに１つまたは複数のパイロット信号を送信し得る。したがって、ＵＥ１１５−ｃは、１つまたは複数のＤＬ信号に基づいてＨＡＲＱフィードバックおよびＣＳＩなどのアップリンク制御情報を識別し得る。
【００６９】
[0075]４１０において、ＵＥ１１５−ｃは、ＣＡ構成と、構成されたＣＣのための全体的なアップリンク制御情報ペイロードまたはＨＡＲＱペイロードのサイズと、を決定し得る。場合によっては、ＵＥ１１５−ｃは、基地局１０５−ｃからＨＡＲＱペイロードのサイズを示すシグナリングを受信し得る。
【００７０】
[0076]４１５において、ＵＥ１１５−ｃは、アップリンク制御メッセージについてＳＲまたはＰ−ＣＳＩ報告のうちの少なくとも１つが存在する（たとえば、ＴＴＩ中に含まれるべきである、サブフレーム中に含まれるべきである、サブフレーム中でのＨＡＲＱフィードバックとともの送信のために利用可能であるなど）と識別し得る。いくつかの例では、ＵＥ１１５−ｃは、ＵＥ１１５−ｃのために構成された２つ以上のＣＣのためのＰ−ＣＳＩ報告でＨＡＲＱペイロードを多重化するように構成され得、ここで、ＵＥ１１５−ｃは、ＵＥ１１５−ｃのために構成された２つ以上のＣＣのためのＰ−ＣＳＩ報告を識別することによってＳＲまたはＰ−ＣＳＩ報告のうちの少なくとも１つが存在することを識別し得る。ＵＥ１１５−ｃはまた、Ｐ−ＣＳＩ報告タイプのセットのＰ−ＣＳＩ報告タイプのサブセットまたはＰ−ＣＳＩ報告タイプが存在するのかどうかを決定することによってＳＲまたはＰ−ＣＳＩ報告のうちの少なくとも１つが存在することを識別し得る。いくつかの例では、Ｐ−ＣＳＩ報告タイプのセットは、ＲＩフィードバックまたは広帯域ＰＭＩフィードバックをサポートするＰ−ＣＳＩ報告タイプを少なくとも含み得る。アップリンク制御メッセージは、複数の（multiple）セルグループのうちのセルグループに関連付けられ得る。
【００７１】
[0077]４２０において、ＵＥ１１５−ｃは、たとえば、１つのＣＣのためのＨＡＲＱフィードバックを報告することに関連するＰＵＣＣＨフォーマットの第１のセット、最大５つのＣＣのためのＨＡＲＱフィードバックを報告することに関連するＰＵＣＣＨフォーマットの第２のセット、または６つ以上のＣＣのためのＨＡＲＱフィードバックを報告することに関連するＰＵＣＣＨフォーマットの第３のセットであり得るＰＵＣＣＨフォーマットグループを選択し得る。ＰＵＣＣＨフォーマットグループは、複数のスケジュールされたＣＣ中のいくつかのＣＣに基づいて選択され得る。ＵＥ１１５−ｃはまた、選択されたＰＵＣＣＨフォーマットグループ（たとえば、ＰＵＣＣＨフォーマットのセット）に基づいてＳＲまたはＰ−ＣＳＩ報告のうちの少なくとも１つのためのペイロードのサイズが、しきい値との比較のためのアップリンク制御メッセージのサイズ中に含まれるのかどうかを決定し得る。
【００７２】
[0078]４２５において、ＵＥ１１５−ｃは、アップリンク制御メッセージのサイズとしきい値との比較に基づいてＰＵＣＣＨフォーマットグループからＰＵＣＣＨフォーマットを選択し得、ここで、アップリンク制御メッセージは、ＨＡＲＱペイロードとＳＲまたはＰ−ＣＳＩ報告のうちの少なくとも１つのためのペイロードとを含み得る。ＵＥ１１５−ｃは、しきい値を上回るアップリンク制御メッセージのサイズに基づいて別のＰＵＣＣＨフォーマットよりも大きい容量を有するＰＵＣＣＨフォーマットを選択し得る。場合によっては、ＰＵＣＣＨフォーマットは、スケーリングされたＰ−ＣＳＩ報告ペイロードサイズに基づいて選択され得る。ＵＥ１１５−ｃは、ＰＵＣＣＨフォーマットを選択する際にＳＲまたはＰ−ＣＳＩ報告またはその両方のうちの少なくとも１つの存在を検討すべきかどうかを示すシグナリング（たとえば、ＲＲＣシグナリング）を受信し得る。いくつかの例では、ＵＥ１１５−ｃは、ＰＵＣＣＨフォーマットに関連する通信リソース容量（たとえば、ＰＵＣＣＨフォーマットに関連する１つまたは複数のビット容量、コーディングレートまたはコーディング係数と組み合わせたビット容量など）などのしきい値を示すシグナリング（たとえば、ＲＲＣシグナリング）を受信し得る。
【００７３】
[0079]４３０において、ＵＥ１１５−ｃは、次いで、選択されたＰＵＣＣＨフォーマットを使用して（たとえば、ＴＴＩ中、サブフレーム中などで）アップリンク制御メッセージを送信し得る。場合によっては、アップリンク制御メッセージは、ＨＡＲＱペイロードとＳＲペイロードとを含むか、またはＨＡＲＱペイロードと、ＳＲペイロードと、Ｐ−ＣＳＩペイロードとを含み得る。
【００７４】
[0080]図５に、本開示の様々な態様による、ｅＣＡのためのＰ−ＣＳＩ報告をサポートするワイヤレスデバイス５００のブロック図を示す。ワイヤレスデバイス５００は、図１〜図４を参照しながら説明するＵＥ１１５の態様の一例であり得る。ワイヤレスデバイス５００は、受信機５０５、ＰＵＣＣＨマネージャ５１０、または送信機５１５を含み得る。ワイヤレスデバイス５００はプロセッサをも含み得る。これらの構成要素の各々は互いに通信していることがある。
【００７５】
[0081]受信機５０５は、パケット、ユーザデータ、または様々な情報チャネルに関連する制御情報（たとえば、制御チャネル、データチャネル、およびｅＣＡのためのＰ−ＣＳＩ報告に関係する情報など）などの情報を受信し得る。情報は、ＰＵＣＣＨマネージャ５１０に、およびワイヤレスデバイス５００の他の構成要素に受け渡され得る。いくつかの例では、受信機５０５は、基地局からＨＡＲＱペイロードのサイズを示すシグナリングを受信し得る。いくつかの例では、受信機５０５は、ＰＵＣＣＨフォーマットの選択中にＳＲまたはＰ−ＣＳＩ報告のうちの少なくとも１つの存在を検討すべきかどうかを示すシグナリングを受信し得る。いくつかの例では、シグナリングはＲＲＣシグナリングを含む。
【００７６】
[0082]ＰＵＣＣＨマネージャ５１０は、（たとえば、ＴＴＩ中、サブフレーム中などで）報告するためのＨＡＲＱペイロードのサイズを検出し得る。複数のスケジュールされたＣＣに関連するＨＡＲＱフィードバックは、ＳＲまたは周期的チャネル状態情報（Ｐ−ＣＳＩ）報告のうちの少なくとも１つが存在すると決定することと、アップリンク制御メッセージのサイズとしきい値との比較に基づいてＰＵＣＣＨフォーマットのセットからＰＵＣＣＨフォーマットを選択することと、ここで、アップリンク制御メッセージは、ＨＡＲＱペイロードと、ＳＲまたはＰ−ＣＳＩ報告のうちの少なくとも１つのためのペイロードと、を含み、選択されたＰＵＣＣＨフォーマットを使用して（たとえば、ＴＴＩ中、サブフレーム中などで）アップリンク制御メッセージを（たとえば、送信機５１５と協働して）送信することとを行う。
【００７７】
[0083]送信機５１５は、ワイヤレスデバイス５００の他の構成要素から受信された信号を送信し得る。いくつかの例では、送信機５１５は、トランシーバモジュールにおいて受信機５０５とコロケートされ得る。送信機５１５は単一のアンテナを含み得るか、またはそれは複数のアンテナを含み得る。いくつかの例では、送信機５１５は、選択されたＰＵＣＣＨフォーマットを使用してアップリンク制御メッセージを送信し得る。
【００７８】
[0084]図６に、本開示の様々な態様による、ｅＣＡのためのＰ−ＣＳＩ報告をサポートするワイヤレスデバイス６００のブロック図を示す。ワイヤレスデバイス６００は、図１〜図５を参照しながら説明したワイヤレスデバイス５００またはＵＥ１１５の態様の一例であり得る。ワイヤレスデバイス６００は、受信機５０５−ａ、ＰＵＣＣＨマネージャ５１０−ａ、または送信機５１５−ａを含み得る。ワイヤレスデバイス６００はまた、プロセッサを含み得る。これらの構成要素の各々は互いに通信していることがある。ＰＵＣＣＨマネージャ５１０−ａはまた、ＨＡＲＱサイズ検出モジュール６０５と、ＰＵＣＣＨコンテンツ検出モジュール６１０と、フォーマット選択モジュール６１５とを含み得る。
【００７９】
[0085]受信機５０５−ａは、ＰＵＣＣＨマネージャ５１０−ａに、およびワイヤレスデバイス６００の他の構成要素に受け渡され得る情報を受信し得る。ＰＵＣＣＨマネージャ５１０−ａは、図５を参照しながら説明した動作を実行し得る。送信機５１５−ａは、ワイヤレスデバイス６００の他の構成要素から受信された信号を送信し得る。
【００８０】
[0086]ＨＡＲＱサイズ検出モジュール６０５は、図２〜図４を参照しながら説明したように、（たとえば、ＴＴＩ中、サブフレーム中などで）複数のスケジュールされたＣＣに関連するＨＡＲＱフィードバックを報告するためのＨＡＲＱペイロードのサイズを検出し得る。ＰＵＣＣＨコンテンツ検出モジュール６１０は、図２〜図４を参照しながら説明したように、ＳＲまたは周期的チャネル状態情報（Ｐ−ＣＳＩ）報告のうちの少なくとも１つが存在する（たとえば、ＴＴＩ中に含まれるべきである、サブフレーム中に含まれるべきであるなど）と決定し得る。いくつかの例では、ＳＲまたはＰ−ＣＳＩ報告のうちの少なくとも１つが存在し得ると決定することは、Ｐ−ＣＳＩ報告タイプのセットのＰ−ＣＳＩ報告タイプが存在し得るかどうかを決定することを含む。いくつかの例では、Ｐ−ＣＳＩ報告タイプのセットは、ランクインジケータ（ＲＩ）フィードバックまたは広帯域ＰＭＩフィードバックをサポートするＰ−ＣＳＩ報告タイプを少なくとも含む。
【００８１】
[0087]フォーマット選択モジュール６１５は、アップリンク制御メッセージのサイズとしきい値との比較に基づいてＰＵＣＣＨフォーマットのセットからＰＵＣＣＨフォーマットを選択し得る。アップリンク制御メッセージは、たとえば、図２〜図４を参照しながら説明したように、ＨＡＲＱペイロードと、ＳＲまたはＰ−ＣＳＩ報告またはその両方のためのペイロードとを含み得る。いくつかの例では、ＰＵＣＣＨフォーマットのセットは、１つのＣＣに関連するＰＵＣＣＨフォーマットの第１のセット、最大５つのＣＣに関連するＰＵＣＣＨフォーマットの第２のセット、または６つ以上のＣＣに関連するＰＵＣＣＨフォーマットの第３のセットを含む。フォーマット選択モジュール６１５は、複数のスケジュールされたＣＣ中のいくつかのＣＣに基づいてＰＵＣＣＨフォーマットのセットを選択し得る。フォーマット選択モジュール６１５はまた、ＰＵＣＣＨフォーマットのどのセットが選択されるのかに応じてＳＲまたはＰ−ＣＳＩ報告の存在にＰＵＣＣＨフォーマット選択の基礎をおく（base）べきかどうかを決定し得る。
【００８２】
[0088]いくつかの例では、ＰＵＣＣＨフォーマットを選択することは、ＰＵＣＣＨフォーマットの第３のセット（たとえば、６つ以上のＣＣのためのＵＣＩに関連し、それをサポートするＰＵＣＣＨフォーマット）を選択することを含む。ＰＵＣＣＨフォーマットの第３のセットは、たとえば、しきい値を上回るアップリンク制御メッセージのサイズに基づいて選択され得る。いくつかの例では、アップリンク制御メッセージは、ＨＡＲＱペイロードとＳＲペイロードとを含む。いくつかの例では、アップリンク制御メッセージは、ＨＡＲＱペイロードと、ＳＲペイロードと、Ｐ−ＣＳＩペイロードとを含む。追加または代替として、ＰＵＣＣＨフォーマットは、スケーリングされたＰ−ＣＳＩ報告ペイロードサイズに基づいて選択され得る。いくつかの例では、アップリンク制御メッセージは、複数のセルグループのうちのセルグループに関連付けられ得る。
【００８３】
[0089]図７に、本開示の様々な態様による、ｅＣＡのためのＰ−ＣＳＩ報告をサポートするＰＵＣＣＨマネージャ５１０−ｂのブロック図７００を示す。ＰＵＣＣＨマネージャ５１０−ｂは、図５〜図６を参照しながら説明したＰＵＣＣＨマネージャ５１０の態様の一例であり得、図１〜図６を参照しながら説明したようにＵＥ１１５、ワイヤレスデバイス５００、またはワイヤレスデバイス６００の構成要素であり得る。ＰＵＣＣＨマネージャ５１０−ｂは、ＨＡＲＱサイズ検出モジュール６０５−ａと、ＰＵＣＣＨコンテンツ検出モジュール６１０−ａと、フォーマット選択モジュール６１５−ａとを含み得る。これらのモジュールの各々は、図６を参照しながら説明した機能を実行し得る。ＰＵＣＣＨマネージャ５１０−ｂはまた、ＰＵＣＣＨマルチプレクサ７０５と、ＣＳＩ構成モジュール７１０と、ＣＳＩ優先度付けモジュール７１５とを含み得る。
【００８４】
[0090]ＰＵＣＣＨマルチプレクサ７０５は、図２〜図４を参照しながら説明したように、ＵＥのために構成された２つ以上のＣＣのためのＰ−ＣＳＩ報告でＨＡＲＱペイロードを多重化し得、ここで、ＳＲまたはＰ−ＣＳＩ報告のうちの少なくとも１つが、存在する（たとえば、アップリンク制御メッセージ中に含まれるべきである）と決定することは、ＵＥのために構成された２つ以上のＣＣのためのＰ−ＣＳＩ報告を識別することを含む。
【００８５】
[0091]ＣＳＩ構成モジュール７１０は、図２〜図４を参照しながら説明したように、（たとえば、受信機と協働して）ＴＴＩ（たとえば、サブフレーム）中での複数のＰ−ＣＳＩ報告の送信をサポートする構成を受信し得、複数のＰ−ＣＳＩ報告は、ＣＳＩプロセスの複数のサブフレームセットのためのＰ−ＣＳＩ報告のうちの２つ以上、ＣＣの複数のＣＳＩプロセスのためのＰ−ＣＳＩ報告、またはＣＡ構成の複数のＣＣのためのＰ−ＣＳＩ報告に関連付けられ得る。いくつかの例では、複数のＰ−ＣＳＩ報告の送信をサポートする構成は、ＣｏＭＰ構成、１つまたは複数のＰＵＣＣＨグループをもつＣＡ構成、デュアル接続性構成、またはＩＭＴＡ構成を含む。いくつかの例では、ＣＡ構成は６つ以上のＣＣの構成（たとえば、ｅＣＡ構成）を含む。
【００８６】
[0092]ＣＳＩ優先度付けモジュール７１５は、図２〜図４を参照しながら説明したように、２つ以上のＰ−ＣＳＩ報告がＴＴＩ中に送信予定であると決定し得る。ＣＳＩ優先度付けモジュール７１５は、（たとえば、送信機と協働して）優先度付けルールに従ってＴＴＩ中にＰ−ＣＳＩ報告のうちの少なくとも１つを送信し得る。いくつかの例では、優先度付けルールは、２つ以上のＰ−ＣＳＩ報告のペイロード容量またはペイロードサイズに基づいて実行され得る。いくつかの例では、ペイロード容量は、ＰＵＣＣＨフォーマットに基づき得る。いくつかの例では、優先度付けルールは、ＣＳＩタイプ、その後、ＣＳＩプロセスＩＤ、その後、ＣＣインデックス、その後、サブフレームセットインデックスに優先度を付けることを含む。優先度付けは、ＣＣ内で、ＣＣにわたって、またはそれらの組合せで実行され得る。
【００８７】
[0093]図８に、本開示の様々な態様による、ｅＣＡにおけるＰ−ＣＳＩ報告をサポートするＵＥ１１５−ｄを含むシステム８００の図を示す。ＵＥ１１５−ｄは、図１〜図７を参照しながら説明したワイヤレスデバイス５００、ワイヤレスデバイス６００、またはＵＥ１１５の一例であり得る。ＵＥ１１５−ｄは、図５〜図７を参照しながら説明したＰＵＣＣＨマネージャ５１０の一例であり得るＰＵＣＣＨマネージャ８１０を含み得る。ＵＥ１１５−ｄはまた、多数のＣＣに関与する動作など、図１を参照しながら説明したｅＣＡ動作を可能にし得るｅＣＡモジュール８２５を含み得る。ＵＥ１１５−ｄは、通信を送信するための構成要素と通信を受信するための構成要素とを含む、双方向音声およびデータ通信のための構成要素をも含み得る。たとえば、ＵＥ１１５−ｄは基地局１０５−ｄと双方向に通信し得る。
【００８８】
[0094]ＵＥ１１５−ｄはまた、プロセッサ８０５と、（ソフトウェア／ファームウェアコード８２０を含む）メモリ８１５と、トランシーバ８３５と、１つまたは複数のアンテナ８４０とを含み得、その各々は、（たとえば、バス８４５を介して）互いと直接または間接的に通信し得る。トランシーバ８３５は、上記で説明したように、アンテナ８４０あるいはワイヤードリンクまたはワイヤレスリンクを介して、１つまたは複数のネットワークと双方向に通信し得る。たとえば、トランシーバ８３５は、基地局１０５−ｄと双方向に通信し得る。トランシーバ８３５は、パケットを変調し、変調されたパケットを送信のためにアンテナ８４０に与え、アンテナ８４０から受信されたパケットを復調するためのモデムを含み得る。ＵＥ１１５−ｄは、単一のアンテナ８４０を含み得るが、ＵＥ１１５−ｄはまた、複数のワイヤレス送信をコンカレントに送信または受信することが可能な複数のアンテナ８４０を有し得る。
【００８９】
[0095]メモリ８１５は、ランダムアクセスメモリ（ＲＡＭ）と、読取り専用メモリ（ＲＯＭ）とを含み得る。メモリ８１５は、実行されたとき、プロセッサ８０５に、本明細書で説明する様々な機能（たとえば、ｅＣＡのためのＰ−ＣＳＩ報告など）を実行することを行わせる命令を含むコンピュータ可読、コンピュータ実行可能ソフトウェア／ファームウェアコード８２０を記憶し得る。代替的に、ソフトウェア／ファームウェアコード８２０は、プロセッサ８０５によって直接的に実行可能でないことがあるが、（たとえば、コンパイルされ実行されたとき）コンピュータに本明細書で説明する機能を実行させ得る。プロセッサ８０５は、インテリジェントハードウェアデバイス、（たとえば、中央処理ユニット（ＣＰＵ）、マイクロコントローラ、特定用途向け集積回路（ＡＳＩＣ）など）を含み得る。
【００９０】
[0096]ワイヤレスデバイス５００、ワイヤレスデバイス６００、ＰＵＣＣＨマネージャ５１０、およびシステム８００の構成要素は、適用可能な機能の一部または全部をハードウェアで実行するように適応された少なくとも１つのＡＳＩＣを用いて、個々にまたはまとめて実装され得る。代替的に、それらの機能は、少なくとも１つの集積回路（ＩＣ）上で、１つまたは複数の他の処理ユニット（またはコア）によって実行され得る。他の例では、当技術分野で知られている任意の様式でプログラムされ得る、他のタイプの集積回路（たとえば、ストラクチャード／プラットフォームＡＳＩＣ、フィールドプログラマブルゲートアレイ（ＦＰＧＡ）、または別のセミカスタムＩＣ）が使用され得る。各ユニットの機能はまた、全体的または部分的に、１つまたは複数の汎用または特定用途向けプロセッサによって実行されるようにフォーマットされた、メモリに組み込まれた命令を用いて実装され得る。
【００９１】
[0097]図９に、本開示の様々な態様による、ｅＣＡのためのＰ−ＣＳＩ報告のための方法９００を示すフローチャートを示す。方法９００の動作は、図１〜図８を参照しながら説明したように、ＵＥ１１５、ワイヤレスデバイス５００、またはワイヤレスデバイス６００、あるいはそれらの構成要素によって実装され得る。たとえば、方法９００の動作は、図５〜図８を参照しながら説明したように、ＰＵＣＣＨマネージャ５１０によって実行され得る。いくつかの例では、ＵＥ１１５は、以下で説明する機能を実行するようにＵＥ１１５の機能要素を制御するための命令のセットを実行し得る。追加または代替として、ＵＥ１１５は、専用ハードウェアを使用して、以下で説明する機能態様を実行し得る。
【００９２】
[0098]ブロック９０５において、ＵＥ１１５は、図２〜図４を参照しながら説明したように、（たとえば、ＴＴＩ中、サブフレーム中などで）ＣＣのセット上での送信に関連するＨＡＲＱフィードバックを報告するためのＨＡＲＱペイロードのサイズを検出し得る。いくつかの例では、ブロック９０５の動作は、図６または図７を参照しながら説明したように、ＨＡＲＱサイズ検出モジュール６０５によって実行され得る。
【００９３】
[0099]ブロック９１０において、ＵＥ１１５は、図２〜図４を参照しながら説明したように、ＳＲまたは周期的チャネル状態情報（Ｐ−ＣＳＩ）報告のうちの少なくとも１つが存在する（たとえば、ＴＴＩ中に含まれるべきである、サブフレーム中に含まれるべきであるなど）と決定し得る。場合によっては、ＳＲまたはＰ−ＣＳＩ報告が存在すると決定することが、Ｐ−ＣＳＩ報告のセットからＰ−ＣＳＩ報告のサブセットを報告することを決定することを含む。いくつかの例では、ブロック９１０の動作は、図６または図７を参照しながら説明したように、ＰＵＣＣＨコンテンツ検出モジュール６１０によって実行され得る。
【００９４】
[0100]ブロック９１５において、ＵＥ１１５は、図２〜図４を参照しながら説明したように、アップリンク制御メッセージのサイズとしきい値との比較に少なくとも部分的に基づいてＰＵＣＣＨフォーマットのセットからＰＵＣＣＨフォーマットを選択し得、ここで、アップリンク制御メッセージは、ＨＡＲＱペイロードとＳＲまたはＰ−ＣＳＩ報告のうちの少なくとも１つのためのペイロードとを含む。いくつかの例では、ブロック９１５の動作は、図６または図７を参照しながら説明したように、フォーマット選択モジュール６１５によって実行され得る。
【００９５】
[0101]ブロック９２０において、ＵＥ１１５は、図２〜図４を参照しながら説明したように、選択されたＰＵＣＣＨフォーマットを使用して（たとえば、ＴＴＩ中、サブフレーム中などで）アップリンク制御メッセージを送信し得る。いくつかの例では、ブロック９２０の動作は、図５〜図６を参照しながら説明したように送信機５１５によって、または図８を参照しながら説明したトランシーバ８３５によって実行され得る。
【００９６】
[0102]図１０に、本開示の様々な態様による、ｅＣＡにおけるＰ−ＣＳＩ報告のための方法１０００を示すフローチャートを示す。方法１０００の動作は、図１〜図８を参照しながら説明したように、ＵＥ１１５、ワイヤレスデバイス５００、またはワイヤレスデバイス６００、あるいはそれらの構成要素によって実装され得る。たとえば、方法１０００の動作は、図５〜図８を参照しながら説明したように、ＰＵＣＣＨマネージャ５１０によって実行され得る。いくつかの例では、ＵＥ１１５は、以下で説明する機能を実行するようにＵＥ１１５の機能要素を制御するための命令のセットを実行し得る。追加または代替として、ＵＥ１１５は、専用ハードウェアを使用して、以下で説明する機能態様を実行し得る。方法１０００はまた、図９を参照しながら説明した方法９００の態様を組み込み得る。
【００９７】
[0103]ブロック１００５において、ＵＥ１１５は、図２〜図４を参照しながら説明したように、（たとえば、ＴＴＩ中、サブフレーム中などで）ＣＣのセット上での送信に関連するＨＡＲＱフィードバックを報告するためのＨＡＲＱペイロードのサイズを検出し得る。いくつかの例では、ブロック１００５の動作は、図６または図７を参照しながら説明したように、ＨＡＲＱサイズ検出モジュール６０５によって実行され得る。
【００９８】
[0104]ブロック１０１０において、ＵＥ１１５は、図２〜図４を参照しながら説明したように、ＳＲまたは周期的チャネル状態情報（Ｐ−ＣＳＩ）報告のうちの少なくとも１つが存在する（たとえば、ＴＴＩ中に含まれるべきである、サブフレーム中に含まれるべきであるなど）と決定し得る。いくつかの例では、ブロック１０１０の動作は、図６または図７を参照しながら説明したように、ＰＵＣＣＨコンテンツ検出モジュール６１０によって実行され得る。
【００９９】
[0105]ブロック１０１５において、ＵＥ１１５は、図２〜図４を参照しながら説明したように、複数のスケジュールされたＣＣ（multiple scheduled CCs）中のいくつかのＣＣに少なくとも部分的に基づいてＰＵＣＣＨフォーマットのセットを選択し得る。いくつかの例では、ブロック１０１５の動作は、図６または図７を参照しながら説明したように、フォーマット選択モジュール６１５によって実行され得る。
【０１００】
[0106]ブロック１０２０において、ＵＥ１１５は、図２〜図４を参照しながら説明したように、ＰＵＣＣＨフォーマットの選択されたセットに少なくとも部分的に基づいてＳＲまたはＰ−ＣＳＩ報告のうちの少なくとも１つのためのペイロードのサイズが、しきい値との比較のためのアップリンク制御メッセージのサイズ中に含まれるのかどうかを決定し得る。いくつかの例では、ブロック１０２０の動作は、図６または図７を参照しながら説明したように、フォーマット選択モジュール６１５によって実行され得る。
【０１０１】
[0107]ブロック１０２５において、ＵＥ１１５は、図２〜図４を参照しながら説明したように、アップリンク制御メッセージのサイズとしきい値との比較に少なくとも部分的に基づいてＰＵＣＣＨフォーマットのセットからＰＵＣＣＨフォーマットを選択し得、ここで、アップリンク制御メッセージは、ＨＡＲＱペイロードとＳＲまたはＰ−ＣＳＩ報告のうちの少なくとも１つのためのペイロードとを含む。場合によっては、ＰＵＣＣＨフォーマットを選択することは、しきい値を上回るアップリンク制御メッセージのサイズに少なくとも部分的に基づいて６つ以上のＣＣのためのＨＡＲＱフィードバックを報告することに関連するＰＵＣＣＨフォーマットのセットからＰＵＣＣＨフォーマットを選択することを含む。いくつかの例では、ブロック１０２５の動作は、図６または図７を参照しながら説明したように、フォーマット選択モジュール６１５によって実行され得る。
【０１０２】
[0108]ブロック１０３０において、ＵＥ１１５は、図２〜図４を参照しながら説明したように、選択されたＰＵＣＣＨフォーマットを使用して（たとえば、ＴＴＩ中、サブフレーム中などで）アップリンク制御メッセージを送信し得る。いくつかの例では、ブロック１０３０の動作は、図５〜図６を参照しながら説明したように送信機５１５によって、または図８を参照しながら説明したようにトランシーバ８３５によって実行され得る。
【０１０３】
[0109]図１１に、本開示の様々な態様による、ｅＣＡにおけるＰ−ＣＳＩ報告のための方法１１００を示すフローチャートを示す。方法１１００の動作は、図１〜図８を参照しながら説明したように、ＵＥ１１５、ワイヤレスデバイス５００、またはワイヤレスデバイス６００、あるいはそれらの構成要素によって実装され得る。たとえば、方法１１００の動作は、図５〜図８を参照しながら説明したように、ＰＵＣＣＨマネージャ５１０によって実行され得る。いくつかの例では、ＵＥ１１５は、以下で説明する機能を実行するようにＵＥ１１５の機能要素を制御するための命令のセットを実行し得る。追加または代替として、ＵＥ１１５は、専用ハードウェアを使用して、以下で説明する機能態様を実行し得る。方法１１００はまた、図９〜図１０を参照しながら説明した方法９００および１０００の態様を組み込み得る。
【０１０４】
[0110]ブロック１１０５において、ＵＥ１１５は、図２〜図４を参照しながら説明したように、（たとえば、ＴＴＩ中、サブフレーム中などで）ＣＣのセット上での送信に関連するＨＡＲＱフィードバックを報告するためのＨＡＲＱペイロードのサイズを検出し得る。いくつかの例では、ブロック１１０５の動作は、図６または図７を参照しながら説明したように、ＨＡＲＱサイズ検出モジュール６０５によって実行され得る。
【０１０５】
[0111]ブロック１１１０において、ＵＥ１１５は、図２〜図４を参照しながら説明したように、ＳＲまたは周期的チャネル状態情報（Ｐ−ＣＳＩ）報告のうちの少なくとも１つが存在する（たとえば、ＴＴＩ中に含まれるべきである、サブフレーム中に含まれるべきであるなど）と決定し得る。いくつかの例では、ブロック１１１０の動作は、図６または図７を参照しながら説明したように、ＰＵＣＣＨコンテンツ検出モジュール６１０によって実行され得る。
【０１０６】
[0112]ブロック１１１５において、ＵＥ１１５は、図２〜図４を参照しながら説明したように、ＵＥ１１５のために構成された２つ以上のＣＣのためのＰ−ＣＳＩ報告でＨＡＲＱペイロードを多重化し得、ここで、ＳＲまたはＰ−ＣＳＩ報告のうちの少なくとも１つが存在すると決定することは、ＵＥ１１５のために構成された２つ以上のＣＣのためのＰ−ＣＳＩ報告を識別することを含む。いくつかの例では、ブロック１１２５の動作は、図７を参照しながら説明したように、ＰＵＣＣＨマルチプレクサ７０５によって実行され得る。
【０１０７】
[0113]ブロック１１２０において、ＵＥ１１５は、図２〜図４を参照しながら説明したように、アップリンク制御メッセージのサイズとしきい値との比較に少なくとも部分的に基づいてＰＵＣＣＨフォーマットのセットからＰＵＣＣＨフォーマットを選択し得、ここで、アップリンク制御メッセージは、ＨＡＲＱペイロードとＳＲまたはＰ−ＣＳＩ報告のうちの少なくとも１つのためのペイロードとを含む。いくつかの例では、ブロック１１１５の動作は、図６または図７を参照しながら説明したように、フォーマット選択モジュール６１５によって実行され得る。
【０１０８】
[0114]ブロック１１２５において、ＵＥ１１５は、図２〜図４を参照しながら説明したように、（たとえば、ＴＴＩ中、サブフレーム中などで）選択されたＰＵＣＣＨフォーマットを使用してアップリンク制御メッセージを送信し得る。いくつかの例では、ブロック１１２０の動作は、図５〜図６を参照しながら説明したように送信機５１５によって、または図８を参照しながら説明したようにトランシーバ８３５によって実行され得る。
【０１０９】
[0115]図１２に、本開示の様々な態様による、ｅＣＡにおけるＰ−ＣＳＩ報告のための方法１２００を示すフローチャートを示す。方法１２００の動作は、図１〜図８を参照しながら説明したように、ＵＥ１１５、ワイヤレスデバイス５００、またはワイヤレスデバイス６００、あるいはそれらの構成要素によって実装され得る。たとえば、方法１２００の動作は、図５〜図８を参照しながら説明したように、ＰＵＣＣＨマネージャ５１０によって実行され得る。いくつかの例では、ＵＥ１１５は、以下で説明する機能を実行するようにＵＥ１１５の機能要素を制御するための命令のセットを実行し得る。追加または代替として、ＵＥ１１５は、専用ハードウェアを使用して、以下で説明する機能態様を実行し得る。方法１２００はまた、図９〜図１１を参照しながら説明した方法９００、１０００、および１１００の態様を組み込み得る。
【０１１０】
[0116]ブロック１２０５において、ＵＥ１１５は、図２〜図４を参照しながら説明したように、（たとえば、ＴＴＩ中、サブフレーム中などで）複数のスケジュールされたＣＣ上での送信に関連するＨＡＲＱフィードバックを報告するためのＨＡＲＱペイロードのサイズを検出し得る。いくつかの例では、ブロック１２０５の動作は、図６または図７を参照しながら説明したように、ＨＡＲＱサイズ検出モジュール６０５によって実行され得る。
【０１１１】
[0117]ブロック１２１０において、ＵＥ１１５は、図２〜図４を参照しながら説明したように、ＳＲまたは周期的チャネル状態情報（Ｐ−ＣＳＩ）報告のうちの少なくとも１つが存在する（たとえば、ＴＴＩ中に含まれるべきである、サブフレーム中に含まれるべきであるなど）と決定し得る。いくつかの例では、ブロック１２１０の動作は、図６または図７を参照しながら説明したように、ＰＵＣＣＨコンテンツ検出モジュール６１０によって実行され得る。
【０１１２】
[0118]ブロック１２１５において、ＵＥ１１５は、図２〜図４を参照しながら説明したように、アップリンク制御メッセージのサイズとしきい値との比較に少なくとも部分的に基づいてＰＵＣＣＨフォーマットのセットからＰＵＣＣＨフォーマットを選択し得、ここで、アップリンク制御メッセージは、ＨＡＲＱペイロードとＳＲまたはＰ−ＣＳＩ報告のうちの少なくとも１つのためのペイロードとを含む。いくつかの例では、ブロック１２１５の動作は、図６または図７を参照しながら説明したように、フォーマット選択モジュール６１５によって実行され得る。
【０１１３】
[0119]ブロック１２２０において、ＵＥ１１５は、図２〜図４を参照しながら説明したように、選択されたＰＵＣＣＨフォーマットを使用して（たとえば、ＴＴＩ中、サブフレーム中などで）アップリンク制御メッセージを送信し得る。いくつかの例では、ブロック１２２０の動作は、図５〜図６を参照しながら説明したように送信機５１５によって、または図８を参照しながら説明したようにトランシーバ８３５によって実行され得る。
【０１１４】
[0120]図１３に、本開示の様々な態様による、ｅＣＡにおけるＰ−ＣＳＩ報告のための方法１３００を示すフローチャートを示す。方法１３００の動作は、図１〜図８を参照しながら説明したように、ＵＥ１１５、ワイヤレスデバイス５００、またはワイヤレスデバイス６００、あるいはそれらの構成要素によって実装され得る。たとえば、方法１３００の動作は、図５〜図８を参照しながら説明したように、ＰＵＣＣＨマネージャ５１０によって実行され得る。いくつかの例では、ＵＥ１１５は、以下で説明する機能を実行するようにＵＥ１１５の機能要素を制御するための命令のセットを実行し得る。追加または代替として、ＵＥ１１５は、専用ハードウェアを使用して、以下で説明する機能態様を実行し得る。方法１３００はまた、図９〜図１２を参照しながら説明した方法９００、１０００、１１００、および１２００の態様を組み込み得る。
【０１１５】
[0121]ブロック１３０５において、ＵＥ１１５は、図２〜図４を参照しながら説明したように、ＴＴＩ中の複数の周期的チャネル状態情報（Ｐ−ＣＳＩ）報告の送信をサポートする構成を受信し得、ここで、複数のＰ−ＣＳＩ報告は、ＣＳＩプロセスの複数のサブフレームセットのためのＰ−ＣＳＩ報告のうちの２つ以上、ＣＣの複数のＣＳＩプロセスのためのＰ−ＣＳＩ報告、またはＣＡ構成の複数のＣＣのためのＰ−ＣＳＩ報告に関連付けられる。いくつかの例では、ブロック１３０５の動作は、図７を参照しながら説明したように、ＣＳＩ構成モジュール７１０によって実行され得る。
【０１１６】
[0122]ブロック１３１０において、ＵＥ１１５は、図２〜図４を参照しながら説明したように、ＴＴＩ中に送信予定の２つ以上のＰ−ＣＳＩ報告を決定し得る。いくつかの例では、ブロック１３１０の動作は、図７を参照しながら説明したように、ＣＳＩ優先度付け構成モジュール７１５によって実行され得る。
【０１１７】
[0123]ブロック１３１５において、ＵＥ１１５は、図２〜図４を参照しながら説明したように、優先度付けルールに従ってＴＴＩ中にＰ−ＣＳＩ報告のうちの少なくとも１つを送信し得る。いくつかの例では、ブロック１３１５の動作は、図７を参照しながら説明したように、ＣＳＩ優先度付け構成モジュール７１５によって実行され得る。
【０１１８】
[0124]このようにして、方法９００、１０００、１１００、１２００、および１３００は、ｅＣＡにおけるＰ−ＣＳＩ報告を提供し得る。方法９００、１０００、１１００、１２００、および１３００は可能な実装形態を表すこと、ならびに動作およびステップは、他の実装形態が可能であるように、並べ替えられるかまたは場合によっては変更され得ることに留意されたい。いくつかの例では、方法９００、１０００、１１００、１２００、および１３００のうちの２つまたはそれ以上からの態様が組み合わされ得る。
【０１１９】
[0125]本明細書の説明は、例を与えるものであり、特許請求の範囲に記載される範囲、適用可能性、または例を限定するものではない。本開示の範囲から逸脱することなく、説明した要素の機能および構成において変更が行われ得る。様々な例は、適宜に様々なプロシージャまたは構成要素を省略、置換、または追加し得る。また、いくつかの例に関して説明した特徴は、他の例において組み合わされ得る。
【０１２０】
[0126]本明細書で説明した技法は、符号分割多元接続（ＣＤＭＡ）、時分割多元接続（ＴＤＭＡ）、周波数分割多元接続（ＦＤＭＡ）、直交周波数分割多元接続（ＯＦＤＭＡ）、シングルキャリア周波数分割多元接続（ＳＣ−ＦＤＭＡ）、および他のシステムなど、様々なワイヤレス通信システムのために使用され得る。「システム」および「ネットワーク」という用語はしばしば互換的に使用される。符号分割多元接続（ＣＤＭＡ）システムは、ＣＤＭＡ２０００、ユニバーサル地上波無線アクセス（ＵＴＲＡ）などの無線技術を実装し得る。ＣＤＭＡ２０００は、ＩＳ−２０００、ＩＳ−９５、およびＩＳ−８５６規格をカバーする。ＩＳ−２０００リリース０およびＡは、一般に、ＣＤＭＡ２０００  １Ｘ、１Ｘなどと呼ばれる。ＩＳ−８５６（ＴＩＡ−８５６）は、一般に、ＣＤＭＡ２０００  １ｘＥＶ−ＤＯ、高速パケットデータ（ＨＲＰＤ：High Rate Packet Data）などと呼ばれる。ＵＴＲＡは、広帯域ＣＤＭＡ（ＷＣＤＭＡ（登録商標））およびＣＤＭＡの他の変形態を含む。時分割多元接続（ＴＤＭＡ）システムは、モバイル通信用グローバルシステム（ＧＳＭ（登録商標））などの無線技術を実装し得る。直交周波数分割多元接続（ＯＦＤＭＡ）システムは、ウルトラモバイルブロードバンド（ＵＭＢ）、発展型ＵＴＲＡ（Ｅ−ＵＴＲＡ）、ＩＥＥＥ８０２．１１（Ｗｉ−Ｆｉ（登録商標））、ＩＥＥＥ８０２．１６（ＷｉＭＡＸ）、ＩＥＥＥ８０２．２０、Ｆｌａｓｈ−ＯＦＤＭなどの無線技術を実装し得る。ＵＴＲＡおよびＥ−ＵＴＲＡは、ユニバーサルモバイルテレコミュニケーションシステム（ＵＭＴＳ）の一部である。３ＧＰＰ（登録商標）  Ｌｏｎｇ  Ｔｅｒｍ  Ｅｖｏｌｕｔｉｏｎ（ＬＴＥ）およびＬＴＥ−Ａｄｖａｎｃｅｄ（ＬＴＥ−Ａ）は、Ｅ−ＵＴＲＡを使用するＵｎｉｖｅｒｓａｌ  Ｍｏｂｉｌｅ  Ｔｅｌｅｃｏｍｍｕｎｉｃａｔｉｏｎｓ  Ｓｙｓｔｅｍ（ＵＭＴＳ）の新しいリリースである。ＵＴＲＡ、Ｅ−ＵＴＲＡ、ユニバーサルモバイルテレコミュニケーションズシステム（ＵＭＴＳ）、ＬＴＥ、ＬＴＥ−Ａ、およびモバイル通信用グローバルシステム（ＧＳＭ）は、「第３世代パートナーシッププロジェクト」（３ＧＰＰ）と称する組織からの文書に記載されている。ＣＤＭＡ２０００およびＵＭＢは、「第３世代パートナーシッププロジェクト２」（３ＧＰＰ２）と称する団体からの文書に記載されている。本明細書で説明した技法は、上記のシステムおよび無線技術、ならびに他のシステムおよび無線技術に使用され得る。ただし、本明細書の説明は、例としてＬＴＥシステムについて説明し、上記の説明の大部分においてＬＴＥ用語が使用されるが、本技法はＬＴＥ適用例以外に適用可能である。
【０１２１】
[0127]本明細書で説明するそのようなネットワークを含む、ＬＴＥ／ＬＴＥ−Ａネットワークでは、発展型ノードＢ（ｅＮＢ）という用語は、概して、基地局を表すために使用され得る。本明細書で説明した１つまたは複数のワイヤレス通信システムは、異なるタイプの発展型ノードＢ（ｅＮＢ）が様々な地理的領域にカバレージを与える異種ＬＴＥ／ＬＴＥ−Ａネットワークを含み得る。たとえば、各ｅＮＢまたは基地局は、マクロセル、スモールセル、または他のタイプのセルに通信カバレージを与え得る。「セル」という用語は、コンテキストに応じて、基地局、基地局に関連付けられるキャリアもしくはＣＣ、またはキャリアもしくは基地局のカバレージエリア（たとえば、セクタなど）を表すために使用され得る。
【０１２２】
[0128]基地局は、基地トランシーバ局、無線基地局、アクセスポイント、無線トランシーバ、ノードＢ、ｅノードＢ（ｅＮＢ）、ホームノードＢ、ホームｅノードＢ、または何らかの他の好適な用語を含み得るか、またはそのように当業者によって呼ばれることがある。基地局のための地理的カバレージエリアは、カバレージエリアの一部分のみを構成するセクタに分割され得る。本明細書で説明した１つまたは複数のワイヤレス通信システムは、異なるタイプの基地局（たとえば、マクロセル基地局またはスモールセル基地局）を含み得る。本明細書で説明したＵＥは、マクロｅＮＢ、スモールセルｅＮＢ、リレー基地局などを含む、様々なタイプの基地局およびネットワーク機器と通信することが可能であり得る。異なる技術のための重複する地理的カバレージエリアがあり得る。
【０１２３】
[0129]マクロセルは、概して、比較的大きい地理的エリア（たとえば、半径数キロメートル）をカバーし、ネットワークプロバイダのサービスに加入しているＵＥによる無制限アクセスを可能にし得る。スモールセルは、マクロセルと比較して、同じまたは異なる（たとえば、認可、無認可などの）周波数帯域内でマクロセルとして動作し得る低電力基地局である。スモールセルは、様々な例によれば、ピコセルと、フェムトセルと、マイクロセルとを含み得る。ピコセルは、たとえば、小さい地理的エリアをカバーし得る、ネットワークプロバイダのサービスに加入しているＵＥによる無制限アクセスを可能にし得る。また、フェムトセルは、小さい地理的エリア（たとえば、自宅）をカバーし得、フェムトセルとの関連を有するＵＥ（たとえば、限定加入者グループ（ＣＳＧ：closed subscriber group）中のＵＥ、自宅内のユーザのためのＵＥなど）による制限付きアクセスを与え得る。マクロセルのためのｅＮＢはマクロｅＮＢと呼ばれることがある。スモールセルのためのｅＮＢは、スモールセルｅＮＢ、ピコｅＮＢ、フェムトｅＮＢまたはホームｅＮＢと呼ばれることがある。ｅＮＢは、１つまたは複数（たとえば、２つ、３つ、４つなど）のセル（たとえば、ＣＣ）をサポートし得る。ＵＥは、マクロｅＮＢ、スモールセルｅＮＢ、リレー基地局などを含む、様々なタイプの基地局およびネットワーク機器と通信することが可能であり得る。
【０１２４】
[0130]本明細書で説明した１つまたは複数のワイヤレス通信システムは、同期動作または非同期動作をサポートし得る。同期動作の場合、基地局は、同様のフレームタイミングを有し得、異なる基地局からの送信は、近似的に時間的に整合され得る。非同期動作の場合、基地局は異なるフレームタイミングを有し得、異なる基地局からの送信は時間的に整合されないことがある。本明細書で説明した技法は、同期動作または非同期動作のいずれかのために使用され得る。
【０１２５】
[0131]本明細書で説明したダウンリンク送信は、順方向リンク送信と呼ばれることもあり、アップリンク送信は、逆方向リンク送信と呼ばれることもある。たとえば、図１および図２のワイヤレス通信システム１００と２００とを含む、本明細書で説明した各通信リンクは、１つまたは複数のキャリアを含み得、各キャリアは、複数のサブキャリア（たとえば、異なる周波数の波形信号）で構成される信号であり得る。各被変調信号は、異なるサブキャリア上で送られ得、制御情報（たとえば、基準信号、制御チャネルなど）、オーバーヘッド情報、ユーザデータなどを搬送し得る。本明細書で説明した通信リンク（たとえば、図１の通信リンク１２５）は、周波数分割複信（ＦＤＤ）動作を使用して（たとえば、対スペクトルリソースを使用して）または時分割複信（ＴＤＤ）動作を使用して（たとえば、不対スペクトルリソースを使用して）双方向通信を送信し得る。周波数分割複信（ＦＤＤ）（たとえば、フレーム構造タイプ１）およびＴＤＤ（たとえば、フレーム構造タイプ２）のためのフレーム構造が定義され得る。
【０１２６】
[0132]添付の図面に関して本明細書に記載される説明は、例示的な構成について説明しており、実装され得るまたは特許請求の範囲内に入るすべての例を表すとは限らない。本明細書で使用される「例示的」という用語は、「例、事例、または例示の働きをすること」を意味し、「好ましい」または「他の例よりも有利な」を意味しない。詳細な説明は、説明した技法の理解を与えるための具体的な詳細を含む。ただし、これらの技法は、これらの具体的な詳細なしに実施され得る。いくつかの事例では、説明した例の概念を不明瞭にすることを回避するために、よく知られている構造とデバイスとをブロック図の形式で示す。
【０１２７】
[0133]本明細書で使用する「に基づいて」という句は、条件の閉集合への言及と解釈してはならない。たとえば、「条件（condition）Ａに基づいて」として記述される例示的なステップは、本開示の範囲から逸脱することなく条件（condition）Ａと条件（condition）Ｂの両方に基づき得る。言い換えれば、本明細書で使用される、「に基づいて」という句は、「に少なくとも部分的に基づいて」という句と同様に解釈されたい。
【０１２８】
[0134]添付の図では、同様の構成要素または特徴は同じ参照ラベルを有し得る。さらに、同じタイプの様々な構成要素は、参照ラベルの後に、ダッシュと、同様の構成要素の間を区別する第２のラベルとを続けることによって区別され得る。第１の参照ラベルのみが本明細書において使用される場合、その説明は、第２の参照ラベルにかかわらず、同じ第１の参照ラベルを有する同様の構成要素のいずれにも適用可能である。
【０１２９】
[0135]本明細書で説明する情報および信号は、多種多様な技術および技法のいずれかを使用して表され得る。たとえば、上の説明全体にわたって参照され得るデータ、命令、コマンド、情報、信号、ビット、シンボル、およびチップは、電圧、電流、電磁波、磁場もしくは磁気粒子、光場もしくは光粒子、またはそれらの任意の組合せによって表され得る。
【０１３０】
[0136]本明細書の開示に関連して説明した様々な例示的なブロックおよびモジュールは、汎用プロセッサ、デジタル信号プロセッサ（ＤＳＰ）、ＡＳＩＣ、ＦＰＧＡまたは他のプログラマブル論理デバイス、個別ゲートまたはトランジスタ論理、個別ハードウェア構成要素、あるいは本明細書で説明した機能を実行するように設計されたそれらの任意の組合せを用いて実装または実行され得る。汎用プロセッサはマイクロプロセッサであり得るが、代替として、プロセッサは、任意の従来のプロセッサ、コントローラ、マイクロコントローラ、または状態機械であり得る。プロセッサは、コンピューティングデバイスの組合せ（たとえば、デジタル信号プロセッサ（ＤＳＰ）とマイクロプロセッサとの組合せ、複数のマイクロプロセッサ、ＤＳＰコアと連携する１つまたは複数のマイクロプロセッサ、または任意の他のそのような構成）としても実装され得る。
【０１３１】
[0137]本明細書で説明する機能は、ハードウェア、プロセッサによって実行されるソフトウェア、ファームウェア、またはそれらの任意の組合せで実施され得る。プロセッサによって実行されるソフトウェアで実施される場合、機能は、１つまたは複数の命令またはコードとしてコンピュータ可読媒体上に記憶されるか、あるいはコンピュータ可読媒体を介して送信され得る。他の例および実装形態は、本開示の範囲内および添付の特許請求の範囲内に入る。たとえば、ソフトウェアの性質により、上記で説明した機能は、プロセッサによって実行されるソフトウェア、ハードウェア、ファームウェア、ハードワイヤリング、またはこれらのうちのいずれかの組合せを使用して実装され得る。機能を実装する特徴はまた、異なる物理ロケーションにおいて機能の部分が実装されるように分散されることを含めて、様々な位置に物理的に配置され得る。また、特許請求の範囲を含めて、本明細書で使用される場合、項目の列挙（たとえば、「のうちの少なくとも１つ」あるいは「のうちの１つまたは複数」などの句で終わる項目の列挙）中で使用される「または」は、たとえば、Ａ、Ｂ、またはＣのうちの少なくとも１つの列挙が、ＡまたはＢまたはＣまたはＡＢまたはＡＣまたはＢＣまたはＡＢＣ（すなわち、ＡおよびＢおよびＣ）を意味するような包括的列挙を示す。
【０１３２】
[0138]コンピュータ可読媒体は、ある場所から別の場所へのコンピュータプログラムの転送を可能にする任意の媒体を含む、非一時的コンピュータ記憶媒体と通信媒体の両方を含む。非一時的記憶媒体は、汎用または専用コンピュータによってアクセスされ得る任意の利用可能な媒体であり得る。限定ではなく例として、非一時的コンピュータ可読媒体は、ＲＡＭ、ＲＯＭ、電気的消去可能プログラマブル読取り専用メモリ（ＥＥＰＲＯＭ（登録商標））、コンパクトディスク（ＣＤ）ＲＯＭまたは他の光ディスクストレージ、磁気ディスクストレージまたは他の磁気ストレージデバイス、あるいは命令またはデータ構造の形態の所望のプログラムコード手段を搬送または記憶するために使用され得、汎用もしくは専用コンピュータ、または汎用もしくは専用プロセッサによってアクセスされ得る、任意の他の非一時的媒体を含むことができる。また、いかなる接続もコンピュータ可読媒体と適切に呼ばれる。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、デジタル加入者回線（ＤＳＬ）、または赤外線、無線、およびマイクロ波などのワイヤレス技術は、媒体の定義に含まれる。本明細書で使用されるディスク（disk）およびディスク（disc）は、ＣＤ、レーザーディスク（登録商標）（disc）、光ディスク（disc）、デジタル多用途ディスク（disc）（ＤＶＤ）、フロッピー（登録商標）ディスク（disk）およびＢｌｕ−ｒａｙ（登録商標）ディスク（disc）を含み、ここで、ディスク（disk）は、通常、データを磁気的に再生し、ディスク（disc）は、データをレーザーで光学的に再生する。上記のものの組合せもコンピュータ可読媒体の範囲内に含まれる。
【０１３３】
[0139]本明細書の説明は、当業者が本開示を作成または使用することができるように与えられた。本開示への様々な変更は当業者には容易に明らかとなり、本明細書で定義された一般原理は、本開示の範囲から逸脱することなく他の変形形態に適用され得る。したがって、本開示は、本明細書で説明した例および設計に限定されるべきでなく、本明細書で開示した原理および新規の特徴に合致する最も広い範囲を与えられるべきである。
【図１】
2018526852.tif 000003
【図２】
2018526852.tif 000004
【図３】
2018526852.tif 000005
【図４】
2018526852.tif 000006
【図５】
2018526852.tif 000007
【図６】
2018526852.tif 000008
【図７】
2018526852.tif 000009
【図８】
2018526852.tif 000010
【図９】
2018526852.tif 000011
【図１０】
2018526852.tif 000012
【図１１】
2018526852.tif 000013
【図１２】
2018526852.tif 000014
【図１３】
2018526852.tif 000015
【国際調査報告】
2018526852.tif 000016
2018526852.tif 000017
2018526852.tif 000018
2018526852.tif 000019
2018526852.tif 000020